(57)【特許請求の範囲】
【請求項１】
所定期間内に放送される全放送番組の内から選択候補番組として選択された放送番組の識別情報のリストである番組選択リストを表示する番組選択支援装置であって、
前記番組選択支援装置に対し、自己の番組選択リストの提供を許可した複数のリスト提供者それぞれを特定する各提供者特定情報を、リスト提供者の属性別にグループ分けし、各提供者特定情報をグループ分けしたグループと対応付けて記録媒体に登録するグループ登録手段と、
前記各リスト提供者の番組選択リストを当該リスト提供者の提供者特定情報と対応付けて前記記録媒体に登録する番組選択リスト登録手段と、
前記記録媒体に登録されているグループを指定するグループ指定手段と、
指定されたグループに属する提供者特定情報によって特定されるリスト提供者の番組選択リストを取得し、取得した番組選択リストに含まれる選択候補番組の識別情報を含む番組選択リストを表示させる表示制御手段と
を備え、
前記表示制御手段は、
所定期間に放送される各放送番組の識別情報を含む番組内容情報と当該放送番組の放送チャンネルと放送時間帯との対応関係を示す複数の放送番組情報を記憶している番組情報記憶手段と、
表示された前記番組選択リストの中から、前記識別情報の指定をユーザから受取る毎に、前記複数の放送番組情報に基づいて、指定された前記識別情報を含む番組内容情報に対応する放送チャンネルと放送時間帯とを含む一定範囲の放送チャンネル及び放送時間帯を特定し、一方の座標軸を放送チャンネル、他方の座標軸を放送時間とする座標平面に、特定した放送チャネル及び放送時間帯に対応する各番組内容情報を配置した番組表を表示させる番組表表示手段と、
を有し、
前記各番組選択リストは、当該番組選択リストに含まれる各選択候補番組の識別情報について、既に選択済みであるか否かを示す選択状況情報を含み、
前記番組表表示手段は、特定した前記各番組内容情報の内、選択状況情報が選択済みであることを示す前記識別情報を含む番組内容情報に、その選択状況情報と当該選択状況情報を含む番組選択リストに対応付けられている提供者特定情報とを付加した前記各番組内容情報の番組表を表示させ、
前記番組内容情報は、放送番組の番組属性を示す番組属性情報を含み、
前記番組選択支援装置はさらに、
前記番組表の中から、ユーザ指示に応じて番組内容情報を選択する番組選択手段と、
前記複数の放送番組情報に含まれる番組内容情報の中から、選択された番組内容情報に含まれる番組属性情報の示す番組属性と共通の番組属性を示す番組属性情報を含む番組内容情報の検索をする関連番組検索手段と、
共通の番組属性を示す番組属性情報を含む番組内容情報が検索された場合に、検索された番組内容情報に含まれる前記識別情報を前記番組選択リストに追加する番組リスト更新手段と、
を備え
前記番組リスト更新手段は、前記番組選択リストに含まれる前記識別情報のうち、前記番組選択手段によって、所定回、連続して選択されなかった前記識別情報を前記番組選択リストから削除し、
前記番組選択支援装置は、選択された番組内容情報に含まれる前記識別情報が前記番組選択リストに存在するか否かを判定する判定手段を備え、
前記表示手段は、選択された番組内容情報に含まれる前記識別情報が前記番組選択リストに存在する場合に、当該前記識別情報を前記番組選択リストに存在する他の前記識別情報と異なる表示態様で表示する
ことを特徴とする番組選択支援装置。
【請求項２】
前記番組選択支援装置は、
ユーザからの放送番組の番組属性を特定する選択条件の入力を受取る受取手段と、
前記複数の放送番組情報から前記選択条件の特定する番組属性と共通の番組属性を示す番組属性情報を含む番組内容情報を特定し、特定した番組内容情報に含まれる前記識別情報に基づいて前記番組選択リストを作成するリスト作成手段と、
を備えることを特徴とする請求項１に記載の番組選択支援装置。
【請求項３】
前記番組選択支援装置は、
番組内容情報が選択される毎に、当該番組内容情報から前記識別情報と番組属性情報とを抽出する抽出手段と、
抽出された前記識別情報及び番組属性情報を、それぞれ、その抽出毎に抽出回数に基づいて更新される値である評価値と対応付けて前記番組情報記憶手段に記録する記録手段と、
を備え、
前記受取手段は、ユーザからの放送時間帯及び放送チャンネルの範囲指定をするための選択条件の入力を受取り、
前記リスト作成手段はさらに、
評価値が閾値を超える前記識別情報又は番組属性情報を特定する特定手段と、
前記複数の放送番組情報中から、指定された放送時間帯及び放送チャンネルの範囲において、特定した前記識別情報又は番組属性情報を含む番組内容情報を選択する選択手段と、
を有し、
前記リスト作成手段は、選択した番組内容情報に含まれる前記識別情報に基づいて番組選択リストを作成する
ことを特徴とする請求項２記載の番組選択支援装置。
【請求項４】
所定期間内に放送される全放送番組の内から選択候補番組として選択された放送番組の識別情報のリストである番組選択リストを表示する番組選択支援装置であって、
前記番組選択支援装置に対し、自己の番組選択リストの提供を許可した複数のリスト提供者それぞれを特定する各提供者特定情報を、リスト提供者の属性別にグループ分けし、各提供者特定情報をグループ分けしたグループと対応付けて記録媒体に登録するグループ登録手段と、
前記各リスト提供者の番組選択リストを当該リスト提供者の提供者特定情報と対応付けて前記記録媒体に登録する番組選択リスト登録手段と、
前記記録媒体に登録されているグループを指定するグループ指定手段と、
指定されたグループに属する提供者特定情報によって特定されるリスト提供者の番組選択リストを取得し、取得した番組選択リストに含まれる選択候補番組の識別情報を含む番組選択リストを表示させる表示制御手段と、
を備え、
前記表示制御手段は、
所定期間に放送される各放送番組の識別情報を含む番組内容情報と当該放送番組の放送チャンネルと放送時間帯との対応関係を示す複数の放送番組情報を記憶している番組情報記憶手段と、
表示された前記番組選択リストの中から、前記識別情報の指定をユーザから受取る毎に、前記複数の放送番組情報に基づいて、指定された前記識別情報を含む番組内容情報に対応する放送チャンネルと放送時間帯とを含む一定範囲の放送チャンネル及び放送時間帯を特定し、一方の座標軸を放送チャンネル、他方の座標軸を放送時間とする座標平面に、特定した放送チャネル及び放送時間帯に対応する各番組内容情報を配置した番組表を表示させる番組表表示手段と、
を有し、
前記複数のリスト提供者には、前記番組選択支援装置以外の番組選択支援装置である外部番組選択支援装置のユーザが含まれ、
前記各提供者特定情報は、当該提供者が使用する番組選択支援装置を特定する装置特定情報を含み、
前記表示制御手段は、
指定されたグループに属する各提供者特定情報によって特定される各リスト提供者の番組選択リストを取得するリスト取得手段と、
取得した各リスト提供者の番組選択リストに含まれる各選択候補番組の識別情報に当該リスト提供者の提供者特定情報を付加した特定情報付加番組選択リストを作成するリスト作成手段と、
複数の前記放送番組情報と特定情報付加番組選択リストとに基づいて、複数の前記放送番組情報に示される前記各番組内容情報の内、特定情報付加番組選択リストに含まれる識別情報と同一の識別情報を含む番組内容情報に提供者特定情報を付加した特定情報付加放送番組情報を作成する番組情報作成手段と、
を有し、
前記番組表表示手段は、特定情報付加放送番組情報に基づいて、前記番組表において、特定した放送チャネル及び放送時間帯に対応する前記各番組内容情報の内、装置特定情報が外部番組選択支援装置を示す提供者特定情報を付加された番組内容情報と、装置特定情報が前記番組選択支援装置を示す提供者特定情報を付加された番組内容情報とを区別して表示させ、
前記各番組選択リストは、当該番組選択リストに含まれる各選択候補番組の識別情報に対応付けられた、当該選択候補番組が既に録画予約済みであるか否かを示す予約状況情報と録画予約した選択候補番組の転送可否を示す転送可否情報との組を含み、
前記リスト作成手段は、取得した各リスト提供者の番組選択リストに含まれる各選択候補番組の識別情報に対応付けられている予約状況情報が録画予約済みであること示す場合に、当該識別情報にさらに当該予約状況情報と当該予約状況情報と組の転送可否情報を付加して前記特定情報付加番組選択リストを作成し、
前記番組情報作成手段は、複数の前記放送番組情報と作成した特定情報付加番組選択リストとに基づいて、特定情報付加番組選択リストに含まれる識別情報で、予約状況情報と転送可否情報を付加された識別情報と同一の識別情報を含む番組内容情報に、さらに当該予約状況情報と当該転送可否情報を付加した特定情報付加放送番組情報を作成し、
前記番組表表示手段は、前記予約情報と転送可否情報を付加した特定情報付加放送番組情報に基づいて、前記番組表において、特定した放送チャネル及び放送時間帯に対応する前記各番組内容情報の内、装置特定情報が外部番組選択支援装置を示す提供者特定情報を付加された番組内容情報と、装置特定情報が前記番組選択支援装置を示す提供者特定情報を付加された番組内容情報とを区別して表示させる
ことを特徴とする番組選択支援装置。
【請求項５】
所定期間内に放送される全放送番組の内から選択候補番組として選択された放送番組の識別情報のリストである番組選択リストを表示する番組選択支援装置であって、
前記番組選択支援装置に対し、自己の番組選択リストの提供を許可した複数のリスト提供者それぞれを特定する各提供者特定情報を、リスト提供者の属性別にグループ分けし、各提供者特定情報をグループ分けしたグループと対応付けて記録媒体に登録するグループ登録手段と、
前記各リスト提供者の番組選択リストを当該リスト提供者の提供者特定情報と対応付けて前記記録媒体に登録する番組選択リスト登録手段と、
前記記録媒体に登録されているグループを指定するグループ指定手段と、
指定されたグループに属する提供者特定情報によって特定されるリスト提供者の番組選択リストを取得し、取得した番組選択リストに含まれる選択候補番組の識別情報を含む番組選択リストを表示させる表示制御手段と、
を備え、
前記表示制御手段は、
所定期間に放送される各放送番組の識別情報を含む番組内容情報と当該放送番組の放送チャンネルと放送時間帯との対応関係を示す複数の放送番組情報を記憶している番組情報記憶手段と、
表示された前記番組選択リストの中から、前記識別情報の指定をユーザから受取る毎に、前記複数の放送番組情報に基づいて、指定された前記識別情報を含む番組内容情報に対応する放送チャンネルと放送時間帯とを含む一定範囲の放送チャンネル及び放送時間帯を特定し、一方の座標軸を放送チャンネル、他方の座標軸を放送時間とする座標平面に、特定した放送チャネル及び放送時間帯に対応する各番組内容情報を配置した番組表を表示させる番組表表示手段と、
を有し、
前記グループ指定手段は、前記記録媒体に登録されている複数のグループを指定し、
前記表示制御手段は、
指定された各グループに属する各提供者特定情報によって特定される各リスト提供者の番組選択リストを取得するリスト取得手段と、
各グループについて取得した各リスト提供者の番組選択リストに含まれる各選択候補番組の識別情報に当該リスト提供者の提供者特定情報と当該提供者特定情報のグループを特定するグループ特定情報とを付加した特定情報付加番組選択リストを作成するリスト作成手段と、
複数の前記放送番組情報と特定情報付加番組選択リストとに基づいて、複数の前記放送番組情報に示される前記各番組内容情報の内、特定情報付加番組選択リストに含まれる各識別情報と同一の識別情報を含む各番組内容情報に提供者特定情報を付加した特定情報付加放送番組情報を作成する番組情報作成手段と、
を有し、
前記番組表表示手段は、特定情報付加放送番組情報に基づいて、前記番組表において、特定した放送チャネル及び放送時間帯に対応する前記各番組内容情報の内、提供者特定情報を付加された番組内容情報について、グループ特定情報の示すグループ毎に異なる表示態様で表示させる
ことを特徴とする番組選択支援装置。
【請求項６】
所定期間内に放送される全放送番組の内から選択候補番組として選択された放送番組の識別情報のリストである番組選択リストを表示する番組選択支援装置であって、
前記番組選択支援装置に対し、自己の番組選択リストの提供を許可した複数のリスト提供者それぞれを特定する各提供者特定情報を、リスト提供者の属性別にグループ分けし、各提供者特定情報をグループ分けしたグループと対応付けて記録媒体に登録するグループ登録手段と、
前記各リスト提供者の番組選択リストを当該リスト提供者の提供者特定情報と対応付けて前記記録媒体に登録する番組選択リスト登録手段と、
前記記録媒体に登録されているグループを指定するグループ指定手段と、
指定されたグループに属する提供者特定情報によって特定されるリスト提供者の番組選択リストを取得し、取得した番組選択リストに含まれる選択候補番組の識別情報を含む番組選択リストを表示させる表示制御手段と、
を備え、
前記表示制御手段は、
所定期間に放送される各放送番組の識別情報を含む番組内容情報と当該放送番組の放送チャンネルと放送時間帯との対応関係を示す複数の放送番組情報を記憶している番組情報記憶手段と、
表示された前記番組選択リストの中から、前記識別情報の指定をユーザから受取る毎に、前記複数の放送番組情報に基づいて、指定された前記識別情報を含む番組内容情報に対応する放送チャンネルと放送時間帯とを含む一定範囲の放送チャンネル及び放送時間帯を特定し、一方の座標軸を放送チャンネル、他方の座標軸を放送時間とする座標平面に、特定した放送チャネル及び放送時間帯に対応する各番組内容情報を配置した番組表を表示させる番組表表示手段と、
を有し、
前記複数のリスト提供者には、前記番組選択支援装置以外の番組選択支援装置である外部番組選択支援装置のユーザが含まれ、
前記各提供者特定情報は、当該提供者が使用する番組選択支援装置を特定する装置特定情報を含み、
前記各番組選択リストは、当該番組選択リストに含まれる各選択候補番組の識別情報について、既に選択済みであるか否かを示す選択状況情報を含み、
前記表示制御手段は、
指定されたグループに属する各提供者特定情報によって特定される各リスト提供者の番組選択リストを取得するリスト取得手段と、
取得した各リスト提供者の番組選択リストに含まれる各選択候補番組の識別情報の内、選択状況情報が選択済みであることを示す識別情報に当該リスト提供者の提供者特定情報を付加した特定情報付加番組選択リストを作成するリスト作成手段と、
複数の前記放送番組情報と特定情報付加番組選択リストとに基づいて、複数の前記放送番組情報に示される前記各番組内容情報の内、特定情報付加番組選択リストに含まれる、選択状況情報が選択済みであることを示す識別情報と同一の識別情報を含む番組内容情報に当該選択状況情報と提供者特定情報とを付加した特定情報付加放送番組情報を作成する番組情報作成手段と、
を有し、
前記番組表表示手段は、特定情報付加放送番組情報に基づいて、指定された前記識別情報を含む番組内容情報に対応する放送チャンネルと放送時間帯とを含む一定範囲の放送チャンネル及び放送時間帯を特定し、前記番組表を作成する番組表作成手段と、
作成した前記番組表において重複する放送時間帯に対応付けられている、選択状況情報と、装置特定情報が前記番組選択支援装置を示す提供者特定情報とを含む番組内容情報の数が閾値を超えるか否かを判定する判定手段と、
閾値を超えている場合に、前記番組表において重複する放送時間帯に対応付けられている各番組内容情報の表示態様を、重複する放送時間帯以外の放送時間帯に対応付けられている番組内容情報の表示態様と異なる表示態様で表示させる表示手段と、
を有することを特徴とする番組選択支援装置。
【発明の詳細な説明】
【技術分野】
【０００１】
本発明は、放送番組の選択を補助するための放送番組選択支援装置に関し、特に簡易かつ迅速に放送番組を選択するための技術に関する。
【背景技術】
【０００２】
近年、テレビ番組の視聴や録画予約は、放送や電気通信回線を介して外部から取得した番組情報に基づいて、新聞などに掲載されるテレビ番組表と同じ表示形式の電子番組表を放送受信装置で作成し、作成した電子番組表をモニタに表示し、ユーザがモニタに表示された電子番組表から所望の放送番組を選択指示することにより、行なわれるようになってきている。
【０００３】
これにより、ユーザは、番組選択する際に、新聞のテレビ欄を見ることなく、モニタに表示された電子番組表を通じて同一時間帯に放送される放送番組の内容を比較しながら、容易に所望の放送番組を選択し、テレビ番組の視聴や録画予約を行なうことができる。
特許文献１には、上記電子番組表を用いた番組選択や番組予約をするための技術が開示されている。
【０００４】
又、特許文献２には、同一の放送受信装置を使用する他のユーザが録画予約している放送番組をモニタの電子番組表に表示させる技術が開示されている。
これにより、ユーザは、容易に他のユーザによって録画予約されている放送番組を確認することができ、同一時間帯において、放送番組を重複して予約することなく、迅速に所望の放送番組を選択し、視聴や録画予約することができる。
【０００５】
しかしながら、モニタの表示スペースには限りがあるため、所定期間内に放送されるテレビ番組の全てをモニタに表示できないので、モニタに表示された電子番組表に所望の放送番組が含まれていない場合、上記従来技術では、ユーザは、所望の放送番組を含む電子番組表がモニタに表示されるまで、モニタの表示画面の切替操作を繰り返さなければならないという問題が生じる。
【０００６】
又、近年、ユーザの視聴できる放送チャンネル数は、激増しており、上記従来技術では、電子番組表をくまなくチェックして、所望の放送番組の放送予定があるかどうかを知ることは困難であり、所望の放送番組の放送予定があるのにもかかわらず、見逃してしまい、その放送番組を視聴予約、録画予約できなかったという事態が生じやすいという問題が生じる。
【特許文献１】特開平09-331484
【特許文献２】特開2000-69381
【発明の開示】
【０００７】
上記課題を解決するために、本発明は、所望の放送番組を見逃すことなく、簡易迅速に所望の放送番組を選択することが可能な番組選択支援装置を提供することを目的とする。      
上記課題の解決手段として、本発明は、所定期間内に放送される全放送番組の内から選択候補番組として選択された放送番組の識別情報のリストである番組選択リストを表示する番組選択支援装置であって、前記番組選択支援装置に対し、自己の番組選択リストの提供を許可した複数のリスト提供者それぞれを特定する各提供者特定情報を、リスト提供者の属性別にグループ分けし、各提供者特定情報をグループ分けしたグループと対応付けて記録媒体に登録するグループ登録手段と、前記各リスト提供者の番組選択リストを当該リスト提供者の提供者特定情報と対応付けて前記記録媒体に登録する番組選択リスト登録手段と、前記記録媒体に登録されているグループを指定するグループ指定手段と、指定されたグループに属する提供者特定情報によって特定されるリスト提供者の番組選択リストを取得し、取得した番組選択リストに含まれる選択候補番組の識別情報を含む番組選択リストを表示させる表示制御手段とを備える。
【０００８】
又、本発明は、所定期間内に放送される全放送番組の内から選択候補番組として選択された放送番組の識別情報のリストである番組選択リストを表示する番組選択支援装置に用いる番組選択支援方法であって、自己の番組選択リストの提供を許可した複数のリスト提供者を特定する提供者特定情報を、リスト提供者の属性別にグループ分けし、各提供者特定情報をグループ分けしたグループと対応付けて記録媒体に登録するグループ登録ステップと、前記各リスト提供者の番組選択リストを当該リスト提供者の提供者特定情報と対応付けて前記記録媒体に登録する番組選択リスト登録ステップと、前記記録媒体に登録されているグループを指定するグループ指定ステップと、指定されたグループに属する提供者特定情報によって特定されるリスト提供者の番組選択リストを取得し、取得した番組選択リストに含まれる選択候補番組の識別情報を含む番組選択リストを表示させる表示制御ステップとを含むこととしてもよい。
【０００９】
又、本発明は、所定期間内に放送される全放送番組の内から選択候補番組として選択された放送番組の識別情報のリストである番組選択リストを表示する番組選択支援装置に番組選択支援処理を実行させるプログラムであって、
前記番組選択支援処理は、自己の番組選択リストの提供を許可した複数のリスト提供者を特定する提供者特定情報を、リスト提供者の属性別にグループ分けし、各提供者特定情報をグループ分けしたグループと対応付けて記録媒体に登録するグループ登録ステップと、前記各リスト提供者の番組選択リストを当該リスト提供者の提供者特定情報と対応付けて前記記録媒体に登録する番組選択リスト登録ステップと、前記記録媒体に登録されているグループを指定するグループ指定ステップと、指定されたグループに属する提供者特定情報によって特定されるリスト提供者の番組選択リストを取得し、取得した番組選択リストに含まれる選択候補番組の識別情報を含む番組選択リストを表示させる表示制御ステップとを含むこととしてもよい。
【００１０】
又、本発明は、所定期間内に放送される全放送番組の内から選択候補番組として選択された放送番組の識別情報のリストである番組選択リストを表示する番組選択支援装置に用いる集積回路であって、自己の番組選択リストの提供を許可した複数のリスト提供者を特定する提供者特定情報を、リスト提供者の属性別にグループ分けし、各提供者特定情報をグループ分けしたグループと対応付けて記録媒体に登録するグループ登録部と、前記各リスト提供者の番組選択リストを当該リスト提供者の提供者特定情報と対応付けて前記記録媒体に登録する番組選択リスト登録部と、前記記録媒体に登録されているグループを指定するグループ指定部と、指定されたグループに属する提供者特定情報によって特定されるリスト提供者の番組選択リストを取得し、取得した番組選択リストに含まれる選択候補番組の識別情報を含む番組選択リストを表示させる表示制御部とを備えることとしてもよい。
【００１１】
これにより、ユーザは、属性別にグループ分けされた番組選択リストの提供者のグループの中から、自己の所望する分野の放送番組を選択している可能性の高いグループを随時指定して、当該グループに属する提供者の番組選択リストを取得して、参照することができるので、電子番組表をくまなくチェックすることなく、取得した番組選択リストを参照して簡易迅速に所望の放送番組を選択することができる。
【００１２】
例えば、趣味が共通する仲間の番組選択リストを同一グループに登録しておくことにより、趣味に関連する放送番組を選択したいときに、当該グループの番組選択リストを参照することにより、所望の放送番組を容易に探し出すことができる。
ここで、前記表示制御手段は、所定期間に放送される各放送番組の識別情報を含む番組内容情報と当該放送番組の放送チャンネルと放送時間帯との対応関係を示す複数の放送番組情報を記憶している番組情報記憶手段と、表示された前記番組選択リストの中から、前記識別情報の指定をユーザから受取る毎に、前記複数の放送番組情報に基づいて、指定された前記識別情報を含む番組内容情報に対応する放送チャンネルと放送時間帯とを含む一定範囲の放送チャンネル及び放送時間帯を特定し、一方の座標軸を放送チャンネル、他方の座標軸を放送時間とする座標平面に、特定した放送チャネル及び放送時間帯に対応する各番組内容情報を配置した番組表を表示させる番組表表示手段とを有することとしてもよい。
【００１３】
さらに、前記表示制御手段は、指定されたグループに属する全ての提供者特定情報によって特定される各リスト提供者の番組選択リストを取得するリスト取得手段と、取得した各番組選択リストに含まれる全ての選択候補番組の識別情報を含む番組選択リストを作成するリスト作成手段と、作成した番組選択リストを表示させるリスト表示手段とを有することとしてもよい。
【００１４】
これにより、番組選択リストにおいて、ユーザ指定された放送番組を含む番組表が常に表示部に表示されるように、番組表の表示が制御されるので、番組表の表示画面の切替操作を何度も繰り返すことなく、所望の放送番組を含む番組表を簡易迅速に表示させることができ、ユーザは、表示された番組表を通じて所望の放送番組以外に選択すべき放送番組が有るか否かを確認した上で、容易に選択すべき番組を最終的に決定することができる。
【００１５】
ここで、前記各番組選択リストは、当該番組選択リストに含まれる各選択候補番組の識別情報について、既に選択済みであるか否かを示す選択状況情報を含み、前記番組表表示手段は、特定した前記各番組内容情報の内、選択状況情報が選択済みであることを示す前記識別情報を含む番組内容情報に、その選択状況情報と当該選択状況情報を含む番組選択リストに対応付けられている提供者特定情報とを付加した前記各番組内容情報の番組表を表示させることとしてもよい。
【００１６】
これにより、番組選択リストの提供者によって選択済みの放送番組を表示画面から容易に特定することができるので、グループ内で関心の高い放送番組を知ることができ、グループ内での交流会が予定されている場合などに、同一グループの人が視聴した放送番組を視聴しておくことにより、交流会で当該放送番組に基づいて共通の話題作りをすることができ、交流会でのグループ内のコミュニケーションを活発にすることができる。
【００１７】
ここで、前記番組内容情報は、放送番組の番組属性を示す番組属性情報を含み、前記番組選択支援装置はさらに、前記番組表の中から、ユーザ指示に応じて番組内容情報を選択する番組選択手段と、前記複数の放送番組情報に含まれる番組内容情報の中から、選択された番組内容情報に含まれる番組属性情報の示す番組属性と共通の番組属性を示す番組属性情報を含む番組内容情報の検索をする関連番組検索手段と、共通の番組属性を示す番組属性情報を含む番組内容情報が検索された場合に、検索された番組内容情報に含まれる前記識別情報を前記番組選択リストに追加する番組リスト更新手段とを備えることとしてもよい。
【００１８】
これにより、ユーザによって選択された放送番組に関連する放送番組が番組選択リストに追加されるので、ユーザは、自己の選択した放送番組に関連する放送番組についても、放送番組の選択候補から漏らすことなく、選択候補の対象とすることができる。
ここで、前記番組リスト更新手段は、前記番組選択リストに含まれる前記識別情報のうち、前記番組選択手段によって、所定回、連続して選択されなかった前記識別情報を前記番組選択リストから削除することとしてもよい。
【００１９】
これにより、所定回、連続して選択されなかった放送番組は、番組選択リストから削除されるので、ユーザの選択候補となる可能性の少ない放送番組が番組選択リストから除かれ、ユーザは、不要な選択候補が番組選択リストに表示されることがなく、容易かつ迅速に放送番組の選択候補を指定することができる。
ここで、前記番組選択支援装置は、選択された番組内容情報に含まれる前記識別情報が前記番組選択リストに存在するか否かを判定する判定手段を備え、
前記番組リスト更新手段は、選択された番組内容情報に含まれる前記識別情報が前記番組選択リストに存在する場合に、当該前記識別情報を前記番組選択リストから削除することとしてもよい。
【００２０】
これにより、既に選択された放送番組は、番組選択リストから削除されるので、ユーザは、誤って既に選択されている放送番組を選択候補として指定することなく、番組選択リストから所望の放送番組を選択候補として指定することができる。
ここで、前記番組選択支援装置は、選択された番組内容情報に含まれる前記識別情報が前記番組選択リストに存在するか否かを判定する判定手段を備え、
前記表示手段は、選択された番組内容情報に含まれる前記識別情報が前記番組選択リストに存在する場合に、当該前記識別情報を前記番組選択リストに存在する他の前記識別情報と異なる表示態様で表示することとしてもよい。
【００２１】
これにより、既に選択された放送番組は、他の放送番組と区別できる態様で、番組選択リストに表示されるので、ユーザは誤って既に選択されている放送番組を選択候補として指定することなく、番組選択リストから所望の放送番組を選択候補として指定することができる。
ここで、前記番組選択支援装置は、ユーザからの放送番組の番組属性を特定する選択条件の入力を受取る受取手段と、前記複数の放送番組情報から前記選択条件の特定する番組属性と共通の番組属性を示す番組属性情報を含む番組内容情報を特定し、特定した番組内容情報に含まれる前記識別情報に基づいて前記番組選択リストを作成するリスト作成手段とを備えることとしてもよい。
【００２２】
これにより、ユーザ所望の放送番組の番組属性に基づいて番組選択リストが作成されるので、ユーザは、番組選択リストを参照することにより、容易に自己の所望の放送番組を含む番組表を表示させることができ、番組表を通じて当該放送番組以外に選択すべき放送番組が有るか否かを確認した上で、選択すべき放送番組を最終決定することができる。
ここで、前記番組選択支援装置は、番組内容情報が選択される毎に、当該番組内容情報から前記識別情報と番組属性情報とを抽出する抽出手段と、抽出された前記識別情報及び番組属性情報を、それぞれ、その抽出毎に抽出回数に基づいて更新される値である評価値と対応付けて前記番組情報記憶手段に記録する記録手段とを備え、前記受取手段は、ユーザからの放送時間帯及び放送チャンネルの範囲指定をするための選択条件の入力を受取り、前記リスト作成手段はさらに、評価値が閾値を超える前記識別情報又は番組属性情報を特定する特定手段と、前記複数の放送番組情報中から、指定された放送時間帯及び放送チャンネルの範囲において、特定した前記識別情報又は番組属性情報を含む番組内容情報を選択する選択手段とを有し、前記リスト作成手段は、選択した番組内容情報に含まれる前記識別情報に基づいて番組選択リストを作成することとしてもよい。
【００２３】
これにより、ユーザが過去に選択した放送番組の識別情報又は番組属性の選択頻度に基づいて番組選択リストが作成されるので、ユーザは、番組選択リストを参照することにより、容易に自己の所望の放送番組を含む番組表を表示させることができ、番組表を通じて当該放送番組以外に選択すべき放送番組が有るか否かを確認した上で、選択すべき放送番組を最終決定することができる。
【００２４】
ここで、前記番組選択支援装置は、外部の番組選択支援装置とネットワーク接続され、前記グループ登録手段は、外部の番組選択支援装置から、登録要求をするリスト提供者の提供者特定情報を受取る受取手段と、ユーザから、登録要求したリスト提供者について、当該リスト提供者の属性に基づくグループ指定を受取るグループ指定受取手段と、登録要求したリスト提供者の提供者特定情報を指定されたグループにグループ分けして前記記録媒体に登録するリスト提供者登録手段とを有し、前記番組選択リスト登録手段は、外部の番組選択支援装置から、登録要求したリスト提供者の提供者特定情報に対応付けられている番組選択リストを取得する取得手段と、取得した番組選択リストと当該リスト提供者の提供者特定情報と対応付けて前記記録媒体に登録する取得リスト登録手段とを有することとしてもよい。
【００２５】
これにより、地域的な制限なく、広範囲に番組選択リストの提供者の登録を受付けることができるので、属性の異なる多様な提供者のグループ分け登録が可能となり、グループ指定による放送番組の選択範囲を効果的に広めることができる。
ここで、外部の複数の前記各番組選択支援装置は、複数の前記提供者特定情報を前記各提供者特定情報によって特定されるリスト提供者の属性に基づいてグループ分けして記憶しているグループ記憶手段と、前記各提供者特定情報により特定されるリスト提供者の番組リストを当該提供者特定情報と対応付けて記憶している番組リスト記憶手段とを備え、前記受取手段は、外部の各番組選択支援装置から、登録要求するリスト提供者がアクセスを許可するグループの指定を受取り、前記リスト提供者登録手段は、登録要求をしたリスト提供者がアクセスを許可する各グループを当該リスト提供者の提供者特定情報について指定されたグループと同一のグループにグループ分けして前記記録媒体に記録し、前記取得手段は、アクセスを許可されたグループを当該外部の番組選択支援装置に通知して、当該外部の番組選択支援装置から、アクセスを許可されたグループに属する各提供者特定情報に対応付けられている番組選択リストを取得し、前記表示制御手段はさらに、指定されたグループに属する提供者特定情報によって特定されるリスト提供者がアクセスを許可したグループに属する各提供者特定情報に対応付けられている番組選択リストを取得し、取得した番組選択リストに含まれる選択候補番組の識別情報を含む番組選択リストを表示させることとしてもよい。
【００２６】
これにより、番組選択リストの提供者だけでなく、当該提供者によって許可された他の提供者の番組選択リストを取得し、参照することができるので、ユーザは、選択候補となる放送番組についてより多くの有用な情報を取得することができる。
ここで、前記表示制御手段は、指定されたグループに属する提供者特定情報の中から、番組選択リストを表示すべき提供者特定情報の指定を受取る提供者指定受取手段と、指定された提供者情報に対応付けられている番組選択リストを取得する指定リスト取得手段と、取得した番組選択リストを表示させるリスト表示手段とを有することとしてもよい。
【００２７】
これにより、ユーザは、自己の指定したグループに属する各番組選択リストの提供者について、個別に番組選択リストを参照することができるので、ユーザは、当該グループの中に、特に番組選択嗜好の一致する提供者がいる場合には、当該提供者の番組選択リストを優先的に参照して迅速に所望の放送番組を選択することができる。
ここで、前記各番組選択リストは、当該番組選択リストに含まれる各選択候補番組の識別情報について、既に選択済みであるか否かを示す選択状況情報を含み、前記表示制御手段は、指定されたグループに属する各提供者特定情報によって特定される各リスト提供者の番組選択リストを取得するリスト取得手段と、取得した各番組選択リストに含まれる選択候補番組の識別情報についての選択状況情報が選択済みであることを示す識別情報のみを含む番組選択リストを作成するリスト作成手段と、作成した番組選択リストを表示させるリスト表示手段とを有することとしてもよい。
【００２８】
又、前記記録媒体は、前記番組選択装置のユーザの番組選択リストであるユーザ番組選択リストを記録し、前記リスト表示手段は、作成した番組リストとユーザ番組選択リストとを含む複合番組選択リストを表示させることとしてもよい。
これにより、ユーザは、自己の指定したグループに属する番組選択リストの提供者によって選択済みの放送番組が番組選択リストとして表示されるので、ユーザは、当該グループ内で関心の高い放送番組を容易に特定し、迅速に所望の放送番組を選択することができる。
【００２９】
ここで、前記複数のリスト提供者には、前記番組選択支援装置以外の番組選択支援装置である外部番組選択支援装置のユーザが含まれ、前記各提供者特定情報は、当該提供者が使用する番組選択支援装置を特定する装置特定情報を含み、前記表示制御手段は、指定されたグループに属する各提供者特定情報によって特定される各リスト提供者の番組選択リストを取得するリスト取得手段と、取得した各リスト提供者の番組選択リストに含まれる各選択候補番組の識別情報に当該リスト提供者の提供者特定情報を付加した特定情報付加番組選択リストを作成するリスト作成手段と、複数の前記放送番組情報と特定情報付加番組選択リストとに基づいて、複数の前記放送番組情報に示される前記各番組内容情報の内、特定情報付加番組選択リストに含まれる識別情報と同一の識別情報を含む番組内容情報に提供者特定情報を付加した特定情報付加放送番組情報を作成する番組情報作成手段とを有し、前記番組表表示手段は、特定情報付加放送番組情報に基づいて、前記番組表において、特定した放送チャネル及び放送時間帯に対応する前記各番組内容情報の内、装置特定情報が外部番組選択支援装置を示す提供者特定情報を付加された番組内容情報と、装置特定情報が前記番組選択支援装置を示す提供者特定情報を付加された番組内容情報とを区別して表示させることとしてもよい。
【００３０】
これにより、ユーザは、番組表に表示されている選択候補番組が、自装置のユーザのものか、外部装置のユーザのものかを容易に識別できるので、番組選択操作をより円滑に進めることができる。
ここで、前記各番組選択リストは、当該番組選択リストに含まれる各選択候補番組の識別情報に対応付けられた、当該選択候補番組が既に録画予約済みであるか否かを示す予約状況情報と録画予約した選択候補番組の転送可否を示す転送可否情報との組を含み、前記リスト作成手段は、取得した各リスト提供者の番組選択リストに含まれる各選択候補番組の識別情報に対応付けられている予約状況情報が録画予約済みであること示す場合に、当該識別情報にさらに当該予約状況情報と当該予約状況情報と組の転送可否情報を付加して前記特定情報付加番組選択リストを作成し、前記番組情報作成手段は、複数の前記放送番組情報と作成した特定情報付加番組選択リストとに基づいて、特定情報付加番組選択リストに含まれる識別情報で、予約状況情報と転送可否情報を付加された識別情報と同一の識別情報を含む番組内容情報に、さらに当該予約状況情報と当該転送可否情報を付加した特定情報付加放送番組情報を作成し、前記番組表表示手段は、前記予約情報と転送可否情報を付加した特定情報付加放送番組情報に基づいて、前記番組表において、特定した放送チャネル及び放送時間帯に対応する前記各番組内容情報の内、装置特定情報が外部番組選択支援装置を示す提供者特定情報を付加された番組内容情報と、装置特定情報が前記番組選択支援装置を示す提供者特定情報を付加された番組内容情報とを区別して表示させることとしてもよい。
【００３１】
これにより、ユーザは、外部装置のユーザで、録画予約されている選択候補
番組について、後で録画した番組を転送してもらえるか否かを予め知ることができるので、自装置の他のユーザと録画予約が競合するような場合においても、録画予約を強行するか否かを、転送可否の結果に基づいて、円滑に決定することができる。
ここで、前記グループ指定手段は、前記記録媒体に登録されている複数のグループを指定し、前記表示制御手段は、指定された各グループに属する各提供者特定情報によって特定される各リスト提供者の番組選択リストを取得するリスト取得手段と、各グループについて取得した各リスト提供者の番組選択リストに含まれる各選択候補番組の識別情報に当該リスト提供者の提供者特定情報と当該提供者特定情報のグループを特定するグループ特定情報とを付加した特定情報付加番組選択リストを作成するリスト作成手段と、複数の前記放送番組情報と特定情報付加番組選択リストとに基づいて、複数の前記放送番組情報に示される前記各番組内容情報の内、特定情報付加番組選択リストに含まれる各識別情報と同一の識別情報を含む各番組内容情報に提供者特定情報を付加した特定情報付加放送番組情報を作成する番組情報作成手段とを有し、前記番組表表示手段は、特定情報付加放送番組情報に基づいて、前記番組表において、特定した放送チャネル及び放送時間帯に対応する前記各番組内容情報の内、提供者特定情報を付加された番組内容情報について、グループ特定情報の示すグループ毎に異なる表示態様で表示させることとしてもよい。
【００３２】
これにより、番組表に表示されている選択候補番組が、どのユーザグループのものかを容易に識別することができるので、番組選択操作をより円滑に進めることができる。
ここで、前記複数のリスト提供者には、前記番組選択支援装置以外の番組選択支援装置である外部番組選択支援装置のユーザが含まれ、前記各提供者特定情報は、当該提供者が使用する番組選択支援装置を特定する装置特定情報を含み、前記各番組選択リストは、当該番組選択リストに含まれる各選択候補番組の識別情報について、既に選択済みであるか否かを示す選択状況情報を含み、前記表示制御手段は、指定されたグループに属する各提供者特定情報によって特定される各リスト提供者の番組選択リストを取得するリスト取得手段と、取得した各リスト提供者の番組選択リストに含まれる各選択候補番組の識別情報の内、選択状況情報が選択済みであることを示す識別情報に当該リスト提供者の提供者特定情報を付加した特定情報付加番組選択リストを作成するリスト作成手段と、複数の前記放送番組情報と特定情報付加番組選択リストとに基づいて、複数の前記放送番組情報に示される前記各番組内容情報の内、特定情報付加番組選択リストに含まれる、選択状況情報が選択済みであることを示す識別情報と同一の識別情報を含む番組内容情報に当該選択状況情報と提供者特定情報とを付加した特定情報付加放送番組情報を作成する番組情報作成手段とを有し、前記番組表表示手段は、特定情報付加放送番組情報に基づいて、指定された前記識別情報を含む番組内容情報に対応する放送チャンネルと放送時間帯とを含む一定範囲の放送チャンネル及び放送時間帯を特定し、前記番組表を作成する番組表作成手段と、作成した前記番組表において重複する放送時間帯に対応付けられている、選択状況情報と、装置特定情報が前記番組選択支援装置を示す提供者特定情報とを含む番組内容情報の数が閾値を超えるか否かを判定する判定手段と、閾値を超えている場合に、前記番組表において重複する放送時間帯に対応付けられている各番組内容情報の表示態様を、重複する放送時間帯以外の放送時間帯に対応付けられている番組内容情報の表示態様と異なる表示態様で表示させる表示手段とを有することとしてもよい。
【００３３】
これにより、自装置で新たな選択が不可能な放送時間帯を番組表の表示から容易に識別することができるので、ユーザは、既に自装置の他のユーザによって選択予約されている放送番組の放送時間帯に別の放送番組を重複して選択予約することを有効に防止することができる。
【発明を実施するための最良の形態】
【００３４】
（実施の形態１）
＜構成＞
図１は、本発明の実施の形態１における番組選択装置１００の構成を示す機能ブロック図である。番組選択支援装置１００は、図１に示す通り、リモコン１０１、番組選択部１０２、選択確定受付部１０３、番組選択リスト管理部１０４、表示部１０５、表示制御部１０６、番組表管理部１０７、番組選択リスト記憶部１０８、番組選択リスト作成部１０９、番組情報記憶部１１０、番組選択条件入力部１１１から構成される。
【００３５】
リモコン１０１は、ユーザが操作キーを操作することにより、各種指示を入力するための装置であり、具体的には、番組選択処理起動指示、番組選択指示、選択確定指示、番組選択条件指示を番組選択部１０２、選択確定受付部１０３、番組選択条件入力部１１２にそれぞれ入力する。
リモコン１０１は、操作キーとして、上方向キー１０１１、右方向キー１０１２、下方向キー１０１３、左方向キー１０１４、切替キー１０１５、選択確定キー１０１６を含む。
【００３６】
ここで、「番組選択処理起動指示」とは、後述する番組選択処理を起動するための指示のことをいう。
又、「番組選択指示」とは、表示部１０５に表示されている番組選択リストに含まれる各放送番組名のＧＵＩ（Graphic User Interface）表示画面から、選択候補となる放送番組（以下、「候補番組」という。）の放送番組名（以下、「候補番組名」という。）を選択する指示のことをいい、当該指示の入力は上方向キー１０１１及び下方向キー１０１３の操作により、ＧＵＩ表示画面に表示されている放送番組名の選択リストの中の選択すべき放送番組名の上にカーソルを移動させた後、選択確定キー１０１６の操作により確定される。
【００３７】
又、「番組選択リスト」とは、番組選択条件入力部１１１から入力される番組選択条件に基づいて、放送番組情報に含まれる放送番組名の中から番組選択リスト作成部１０９によって作成された放送番組名のリストのことをいい、具体的には、放送番組情報に含まれる全ての放送番組名のうち、入力された番組選択条件を満たす放送番組名とその連続未選択回数との対応関係を示すリストのことをいう。
【００３８】
ここで、「連続未選択回数」とは、対応する放送番組名が連続して候補番組に選択されなかった回数のことをいう。図２は、番組選択リストの具体例を示す。
又、「放送番組情報」とは、番組情報記憶部１１０に予め記憶されている、所定期間内に放送される各放送番組の内容を示す番組内容情報と、当該放送番組の放送チャンネル、当該放送番組の放送時間帯と、当該放送番組について、選択確定指示が出されたか否かを示す選択確定フラグとの対応関係を示す情報のことをいう。
【００３９】
ここで、「番組内容情報」とは、放送番組の識別情報である放送番組名と、主要出演者名、ジャンル名など放送番組の番組属性を示す番組属性情報とから成る情報のことをいう。
ここで、「番組属性」とは、ジャンル名、放送番組の出演者名（例えば、筆頭出演者名）などの放送番組に依拠する属性のことをいう。
【００４０】
又、「選択確定指示」とは、表示部１０５に表示されている表示番組表のＧＵＩ表示画面から、選択すべき放送番組の放送時間帯、放送チャネル、番組内容情報を確定する指示のことをいい、当該指示の入力は、表示番組表のＧＵＩ表示画面において、上下左右方向キー１０１１〜１０１４の各操作キーの操作により、選択すべき放送番組の番組内容情報の上にカーソルを移動させた後、選択確定キー１０１６の操作により確定される。
【００４１】
又、「表示番組表」とは、放送時間を縦軸、放送チャンネルを横軸とする座標平面に、番組情報記憶部１１０に予め記憶されている各放送番組情報に示される番組内容情報を対応する位置に配置して作成された全体放送番組表から、所定範囲の放送時間帯及び放送チャンネルに対応する各番組内容情報を抽出して作成された放送番組表のことをいい、具体的には、番組選択指示の入力によって選択指示された候補番組の放送時間帯及び放送チャンネルを中心とする所定範囲の放送時間帯（例えば、候補番組の放送時間帯が２００４年５月１日の２０時から２１時までの場合、その前後の１時間を含む放送時間帯、すなわち、１９時から２２時までの放送時間帯）及び放送チャンネル（例えば、後述する図３に示すように、放送チャンネルが、２、４、６、８、１０、１２の順（昇順）に表示番組表の横軸に配置されている場合に、候補番組の放送チャンネルが６チャンネルの場合、その前後２チャンネルである２、４チャンネル及び８、１０チャンネルと候補番組の放送チャンネルである６チャンネルとを含むチャンネル）に対応する各番組内容情報から構成される放送番組表（後述する図４の４０２に具体例を示す。）のことをいう。
【００４２】
ここで、番組選択リストに含まれる各放送番組名と表示番組表のＧＵＩ表示画面は、表示部１０５の画面上に一緒に表示され、カーソルを表示させるＧＵＩ表示画面の切替は、切替キー１０１５キーの操作により行なわれる。
図３は、全体放送番組表の具体例を、図４は、番組選択リストに含まれる各放送番組名と表示番組表の各ＧＵＩ表示画面の具体例をそれぞれ示す。図４の４０１は、番組選択リストのＧＵＩ表示画面の具体例を示し、図４の４０２は、表示番組表のＧＵＩ表示画面の具体例を示す。
【００４３】
又、「番組選択条件指示」とは、番組選択リストを作成するための、放送番組の選択条件の入力指示のことをいい、具体的には、表示部１０５に表示された、番組選択条件を入力するためのＧＵＩ表示画面から、選択すべき放送番組の放送時間帯、放送チャンネル、番組属性（例えば、ジャンル名）などの放送番組選択条件を入力するための指示のことをいい、この指示に基づいて、番組選択リストに含める放送番組名が選択される。
【００４４】
番組選択部１０２は、リモコン１０１からの選択確定キー１０１６操作による番組選択指示の入力に応じて、番組選択リストのＧＵＩ表示画面から選択指示された候補番組名を番組選択リスト管理部１０４に通知する。
選択確定受付部１０３は、リモコン１０１からの選択確定キー１０１６操作による選択確定指示の入力により、表示番組表のＧＵＩ表示画面において、確定された放送番組の放送時間帯、放送チャネル、番組内容情報を番組表管理部１０７に通知する。
【００４５】
番組選択リスト管理部１０４は、番組選択リスト記憶部１０８に記憶されている番組選択リストと対応付けられている、番組選択リストが更新されたか否かを示す更新フラグを監視し、更新フラグが「更新」を示している場合に、番組選択リスト記憶部１０８から番組選択リストの各放送番組名を読出し、表示制御部１０６に出力する。
なお、ここでは、番組選択装置１００の起動時の初期状態においては、更新フラグは、「更新」を示しているものとする。
【００４６】
又、番組選択リスト管理部１０４は、番組選択部１０２より、候補番組名の通知を受取ると、当該番組名を表示制御部１０６に通知する。
表示制御部１０６は、番組選択リスト管理部１０４より入力された放送番組名に基づいて、放送番組名の選択リストのＧＵＩ表示画面を合成し、表示部１０５に表示させ、既に表示部１０５に選択リストのＧＵＩ表示画面が表示されている場合には、表示中の選択リストを削除して、新に合成した選択リストのＧＵＩ表示画面を表示部１０５に表示させ、さらに番組選択リスト管理部１０４より、候補番組名の通知を受取ると、番組表管理部１０７に候補番組名を通知し、表示部１０５に表示されている選択リストの中の候補番組名上を反転表示させる。図４の４０１では、候補番組名である「ステーションＭ」が反転表示されていることを示す。
【００４７】
又、表示制御部１０６は、番組表管理部１０７より入力された表示番組表に基づいて、表示番組表のＧＵＩ表示画面を合成し、表示部１０５に表示させ、表示番組表に表示されている番組内容情報のうち、候補番組名を含む番組内容情報上にカーソル表示させる。図４の４０２では、４０１で候補番組名として選択された「ステーションＭ」の番組内容情報がカーソル表示（図１８では枠表示）されていることを示す。
【００４８】
又、表示制御部１０６は、番組表管理部１０７より選択確定された放送番組の放送時間帯、放送チャネル、番組内容情報の通知を受取ると、表示部１０５に表示されている表示番組表のＧＵＩ表示画面における通知された番組内容情報の表示を反転表示させる。
番組表管理部１０７は、全体放送番組表の作成処理、表示番組表の作成処理、及び番組選択リスト更新処理を行なう。
（全体放送番組表の作成処理）
番組表管理部１０７は、番組情報記憶部１１０に記憶されている各放送番組情報に基づいて、全体放送番組表を作成し、作成した全体放送番組表を番組情報記憶部１１０に記録する
（表示番組表の作成処理）
番組表管理部１０７は、表示制御部１０６より候補番組名の通知を受取ると、番組情報記憶部１１０に記憶されている全体放送番組表において、候補番組名を含む番組内容情報を特定し、さらに当該番組内容情報が対応付けられている放送時間帯及び放送チャンネルを中心とする所定範囲の放送時間帯及び放送チャンネルから構成される放送番組表を全体放送番組表から抽出することにより、表示番組表を作成する。
（番組選択リスト更新処理）
番組表管理部１０７は、選択確定受付部１０３より、確定された放送番組の放送時間帯、放送チャネル、番組内容情報の通知を受けると、番組情報記憶部１１０に記憶されている各放送番組情報において、確定された放送番組の放送時間帯、放送チャネル、番組内容情報に対応する選択確定フラグを「選択確定済」を示すフラグに設定し、確定された番組内容情報の示す番組属性と共通する番組属性を有する番組内容情報を検索し、検索できた場合に、当該番組内容情報から放送番組名を抽出し、抽出した放送番組名を番組選択リスト記憶部１０８に記憶されている番組選択リストに追加し、その連続未選択回数の値を０に設定し、番組選択リストに対応付けられている更新フラグを「更新された」ことを示すフラグに設定する。
【００４９】
ここでは、特定の番組属性（例えば、ジャンル名）が共通する番組内容情報が検索されるものとする。
又、番組表管理部１０７は、選択確定受付部１０３より、確定された放送番組の放送時間帯、放送チャネル、番組内容情報の通知を受ける毎に、番組リスト記憶部１０８に記憶されている番組選択リストの連続未選択回数を更新し、連続未選択回数が閾値を超える放送番組名とその連続未選択回数との組を番組選択リストから削除する。
【００５０】
番組選択リスト記憶部１０８は、番組選択リストを更新フラグと対応付けて記憶している。
又、番組選択リスト記憶部１０８は、連続未選択回数の閾値を記憶している。
番組選択リスト作成部１０９は、番組選択条件入力部１１１から入力される放送番組の選択条件（例えば、放送時間帯の範囲指定、放送チャンネルの範囲指定、ジャンル名などの番組属性）に基づいて、番組情報記憶部１１０に記憶されている各放送番組情報から選択条件に該当する番組内容情報を特定し、特定した番組内容情報に含まれる放送番組名に基づいて番組選択リストを作成し、番組選択リスト記憶部１０８に記録する。
【００５１】
番組情報記憶部１１０は、所定期間内に放送される各放送番組の放送番組情報を記憶している。
番組選択条件入力部１１１は、リモコン１０１を介してユーザからの番組選択条件指示の入力を受取り、番組選択条件指示の入力によって特定された番組選択条件を番組選択リスト作成部１０９に出力する。
＜動作＞
次に、番組選択支援装置１００の行う番組選択処理の動作について説明する。図５は、上記動作を示すフローチャートである。以下、図５を参照して上記動作について説明する。
【００５２】
番組選択リスト管理部１０４は、リモコン１０１からの番組選択処理起動指示の入力があると、番組選択リスト記憶部１０８より番組選択リストの各放送番組名を読出し（ステップＳ５０１）、表示制御部１０６に出力し、さらに読み出した放送番組名のうち初期設定されている放送番組名（例えば、最初に読み出した放送番組名）を表示制御部１０６に通知する。
【００５３】
表示制御部１０６は、読出した放送番組名に基づいて、放送番組名の選択リストのＧＵＩ表示画面を合成して、表示部１０５に表示させ（ステップＳ５０２）、選択リストの初期設定されている放送番組名上を反転表示させる。
次に、番組表管理部１０７は、番組情報記憶部１１０に記憶されている各放送番組情報に基づいて、全体放送番組表を作成し、作成した全体放送番組表を番組情報記憶部１１０に記録し、表示制御部１０６より初期設定されている放送番組名の通知を受取ると、番組情報記憶部１１０に記憶されている全体放送番組表において、初期設定されている放送番組名を含む番組内容情報を特定する。
【００５４】
表示制御部１０６は、番組表管理部１０７より入力された表示番組表に基づいて、表示番組表のＧＵＩ表示画面を合成し、表示部１０５に表示させ（ステップＳ５０４）、カーソル表示させるＧＵＩ表示画面を選択リストのＧＵＩ表示画面に設定し（ステップＳ５０５）、上下方向キー１０１１、１０１３の何れかのキーの操作により、カーソル移動指示が有ると（ステップＳ５０６：Ｙ）、選択リストのＧＵＩ表示画面上のカーソル表示（反転表示）を指示された放送番組名上に移動させ（ステップＳ５０７）、番組選択リスト管理部１０４からの候補番組の通知の有無により、番組選択指示が入力されたか否かを判定する（ステップＳ５０８）。        
【００５５】
ステップＳ５０６において、カーソル移動指示がない場合（ステップＳ５０６：Ｎ）、ステップＳ５０８の処理に移行する。
ステップＳ５０８において、番組選択指示が入力された場合（ステップＳ５０８：Ｙ）、表示制御部１０６は、番組表管理部１０７に候補番組名を通知し、表示部１０５に表示されている選択リストの中の候補番組名の表示を図４の４０１に示すように、反転表示させる（ステップＳ５０９）。
【００５６】
次に、番組表管理部１０７は、表示制御部１０６より候補番組名の通知を受取ると、番組情報記憶部１１０に記憶されている全体放送番組表において、候補番組名を含む番組内容情報を特定し、さらに当該番組内容情報が対応付けられている放送時間帯及び放送チャンネルを中心とする所定範囲の放送時間帯及び放送チャンネルから構成される放送番組表を全体放送番組表から抽出することにより、表示番組表を作成し（ステップＳ５１０）、表示制御部１０６に出力する。
【００５７】
次に、表示制御部１０６は、番組表管理部１０７より入力された表示番組表に基づいて、表示番組表のＧＵＩ表示画面を合成し、表示部１０５に表示させ（ステップＳ５１１）、図４の４０２に示すように、表示番組表に表示されている番組内容情報のうち、候補番組名を含む番組内容情報上にカーソル表示を切り替え（ステップＳ５１２）、上下左右方向キー１０１１〜１０１４の何れかのキーの操作により、カーソル移動指示が有ると（ステップＳ５１３：Ｙ）、表示番組表のＧＵＩ表示画面上のカーソル表示（枠表示）を指示された番組内容情報上に移動させ（ステップＳ５１４）、番組表管理部１０７からの、選択確定された放送番組の放送時間帯、放送チャネル、番組内容情報の通知の有無により、選択確定指示が入力されたか否かを判定する（ステップＳ５１５）。
【００５８】
選択確定指示が入力された場合（ステップＳ５１５：Ｙ）、表示制御部１０６は、表示部１０５に表示されている表示番組表のＧＵＩ表示画面における通知された番組内容情報の表示を反転表示させ（ステップＳ５１６）、後述する番組選択リスト更新処理後（ステップＳ５１７）、切替キー１０１５の操作により、カーソルを表示させるＧＵＩ表示画面の切替指示の入力が有ると（ステップＳ５１８：Ｙ）、ステップＳ５０５の処理に移行し、切替指示の入力がない場合には、ステップＳ５１３の処理に移行する。
【００５９】
次に、番組選択支援装置１００の行なう番組選択リスト更新処理の動作について説明する。図６及び図７は、上記動作を示すフローチャートである。以下、図６及び図７を参照して、上記動作について説明する。
番組表管理部１０７は、確定された放送番組の放送時間帯、放送チャネル、番組内容情報に対応する選択確定フラグを「選択確定済」を示すフラグに設定し、番組選択リスト記憶部１０８より、番組選択リストを取得し、確定された番組内容情報の示す放送番組名が、番組選択リストに存在するか否かを判定し（ステップＳ６０１）、番組選択リストに存在しない場合（ステップＳ６０１：Ｎ）、番組選択リストの各放送番組名の連続未選択回数を１増やし（ステップＳ６０２）、確定された番組内容情報の示す番組属性と共通する番組属性を有する番組内容情報を検索し（ステップＳ６０４）、確定された番組内容情報と共通する番組属性を有する番組内容情報が存在するか否かを判定する（ステップＳ６０５）。
【００６０】
共通する番組属性を有する番組内容情報が存在する場合（ステップＳ６０５：Ｙ）、番組表管理部１０７は、共通する番組属性を有する番組内容情報の示す放送番組名と、番組選択リストに含まれる放送番組名とを比較することにより、共通する番組属性を有する番組内容情報の示す放送番組名が、番組選択リストに存在するか否かを判定する（ステップＳ６０６）。
【００６１】
共通する番組属性を有する番組内容情報の示す放送番組名が、番組選択リストに存在しない場合（ステップＳ６０６：Ｎ）、番組表管理部１０７は、検索した、共通する番組属性を有する番組内容情報から放送番組名を抽出し（ステップＳ６０７）、抽出した放送番組名を番組選択リスト記憶部１０８に記憶されている番組選択リストに追加し、その連続未選択回数の値を０に設定し、番組選択リストに対応付けられている更新フラグを「更新」を示すフラグに設定する（ステップＳ６０８）。
【００６２】
番組選択リスト管理部１０４は、更新フラグが「更新」を示すフラグに設定されると、番組選択リスト記憶部１０８から追加後の番組選択リストの各放送番組名を読出した後、更新フラグを「未更新」を示すフラグに設定して、表示制御部１０６に出力する（ステップＳ６０９）。
表示制御部１０６は、番組選択リスト管理部１０４より入力された放送番組名に基づいて、放送番組名の選択リストのＧＵＩ表示画面を合成し、表示中の選択リストを削除して、新に合成した選択リストのＧＵＩ表示画面を表示部１０５に表示させる（ステップＳ６１０）。
【００６３】
次に、番組表管理部１０７は、追加後の番組選択リストにおいて、連続未選択回数が閾値を超えた放送番組名が番組選択リストに存在するか否かを判定する（ステップＳ６１１）。
番組選択リストの連続未選択回数が閾値を超えた放送番組名が番組選択リストに存在する場合（ステップＳ６１１：Ｙ）、番組表管理部１０７は、当該放送番組名とその連続未選択回数とを番組選択リストから削除し、削除した番組選択リストを番組選択リスト記憶部１０８に記録し、更新フラグを「更新」を示すフラグに設定する（ステップＳ６１２）。
【００６４】
次に番組選択リスト管理部１０４は、更新フラグが「更新」を示すフラグに設定されると、番組選択リスト記憶部１０８から削除後の番組選択リストの各放送番組名を読出した後、更新フラグを「未更新」を示すフラグに設定して、表示制御部１０６に出力する（ステップＳ６１３）。
次に表示制御部１０６は、番組選択リスト管理部１０４より入力された放送番組名に基づいて、放送番組名の選択リストのＧＵＩ表示画面を合成し、表示中の選択リストを削除して、新に合成した選択リストのＧＵＩ表示画面を表示部１０５に表示させ（ステップＳ６１４）、ステップＳ５１８の処理に移行する。
【００６５】
ステップＳ６０５において、共通する番組属性を有する番組内容情報が存在しない場合（ステップＳ６０５：Ｎ）及びステップＳ６０６において、共通する番組属性を有する番組内容情報の示す放送番組名が、番組選択リストに存在する場合（ステップＳ６０６：Ｙ）、番組表管理部１０７は、番組選択リストにおいて、連続未選択回数が閾値を超えた放送番組名が番組選択リストに存在するか否かを判定する（ステップＳ６１５）。
【００６６】
番組選択リストにおいて、連続未選択回数が閾値を超えた放送番組名が番組選択リストに存在する場合（ステップＳ６１５：Ｙ）、ステップＳ６１２の処理に移行し、連続未選択回数が閾値を超えた放送番組名が番組選択リストに存在しない場合（ステップＳ６１５：Ｎ）、ステップＳ５１８の処理に移行する。
（実施の形態２）
実施の形態１では、１つの番組選択支援装置が独立した形式で、番組リストと番組表の表示とを連動させて表示させることとしたが、実施の形態２の番組選択支援装置では、複数の番組選択支援装置がネットワークで接続され、各番組選択支援装置を互いに連携させることにより、番組リストと番組表を作成し、表示させることを特徴としている。
【００６７】
図１２は、実施の形態２における番組選択支援装置２００の構成を示す機能ブロック図である。
番組選択支援装置２００は、リモコン１０１、番組選択部２０２、選択確定受付部２０３、番組選択リスト管理部２０４、表示部１０５、表示制御部２０６、番組表管理部２０７、番組選択リスト記憶部２０８、番組選択リスト作成部２０９、番組情報記憶部１１０、番組選択条件入力部２１１、通信部２１２、登録関係情報記憶部２１３から構成される。
【００６８】
ここで、実施の形態１と同一の構成要素については、同一の番号を付与し、以下、実施の形態１における番組選択支援装置１００と相違する構成要素について説明し、他の構成要素については、実施の形態１において説明済みであるので、説明を省略する。
なお、番組選択支援装置２００とネットワークで接続されている外部の複数の番組選択支援装置も番組選択支援装置２００と同様の構成要素から構成されているものとする。
【００６９】
又、ネットワーク接続は、例えば、インターネット接続であってもよいし、ＬＡＮ等のイントラネットで接続されていてもよい。
番組選択部２０２、実施の形態１における番組選択部１０２の有する機能に加え、以下の機能を有する。
番組選択部２０２は、リモコン１０１より、後述する複合番組選択処理の起動指示の入力があると、当該指示を番組選択リスト管理部２０４と番組表管理部２０７に通知する。
【００７０】
選択確定受付部２０３は、リモコン１０１からの選択確定キー１０１６の操作による視聴予約又は録画予約確定指示の入力により、後述する表示対応番組表のＧＵＩ表示画面において、予約確定された放送番組の放送時間帯、放送チャネル、番組内容情報を番組表管理部２０７に通知する。
視聴予約、録画予約確定指示の切替入力は、例えば、ＧＵＩ表示入力において、視聴予約確定の入力と録画予約確定の入力とをリモコン１０１の方向キーを上下、左右に切り替えることにより、切り替え入力する。
【００７１】
番組選択リスト記憶部２０８は、個別番組選択リストを更新フラグと対応付けて記憶している。
ここで、「個別番組選択リスト」とは、番組選択支援装置２００及び番組選択支援装置２００とネットワークで接続されている外部の番組選択支援装置の特定のユーザ（ユーザＩＤで示す）について作成された、番組選択支援装置の装置ＩＤと選択対象となる各放送番組名のリストと、当該放送番組の視聴及び録画予約状況と、当該放送番組の連続未選択回数との対応関係を示すリストのことをいう。
【００７２】
図１３（ａ）〜（ｃ）に個別番組選択リストの具体例を示す。
又、番組選択リスト記憶部２０８は、連続未選択回数の閾値を記憶している。
又、番組選択リスト記憶部２０８は、後述する複合番組選択リストを更新フラグと対応付けて記憶している。
登録関係情報記憶部２１３は、登録関係情報とユーザ別登録グループ情報とを記憶している。
【００７３】
ここで、「登録関係情報」とは、番組選択支援装置２００のユーザ毎に、番組選択リストの情報交換を許可する、外部の番組選択支援装置（以下、「外部装置」という。）のユーザを登録するための情報のことをいい、具体的には、登録先の番組選択支援装置２００のＩＤ（ＩＰアドレスであってもよいし、識別子であってもよい。）と、登録先のユーザＩＤと、登録元の外部装置のＩＤ（ＩＰアドレスであってもよいし、識別子であってもよい。）と、登録元のユーザＩＤと、登録元のユーザ及び登録先のユーザによってそれぞれ指定される登録元アクセス許可グループと登録先アクセス許可グループとの対応関係を示す情報のことをいう。
【００７４】
図１４は、登録関係情報の具体例を示す。図１４において、「装置ＩＤ」は、登録先の番組選択支援装置２００のＩＤを示し、「ユーザＩＤ」は、登録先のユーザＩＤを示し、「登録ユーザＩＤ」は、登録元のユーザＩＤを示し、「登録装置ＩＤ」は、登録元の外部装置のＩＤを示す。
図１４に示す登録関係情報には、例えば、装置ＩＤが「Ｘ１１」の装置のユーザであるユーザＩＤが「０１」のＡＡさんについては、ＡＡさんとの個別番組選択リストの情報交換を許可するユーザとして、ユーザＩＤが「０１１」のＡさんとユーザＩＤが「０１２」のＢさんとが情報交換相手として登録されていることが示されている。
【００７５】
「登録元アクセス許可グループ」とは、登録元のユーザ毎にそれぞれ登録されている、グループ分けされた各ユーザの個別番組選択リストの内、登録先のユーザに対し、アクセスを許可する登録グループのことをいう。
図１４に示す登録関係情報には、例えば、装置ＩＤが「Ｘ１１」の装置のユーザであるユーザＩＤが「０１」のＡＡさんについては、登録元であるＡさんから登録グループ２へのアクセスが許可され、登録元であるＢさんから登録グループ１及び２へのアクセスを許可されていることが示されている。
【００７６】
「登録先アクセス許可グループ」とは、登録先のユーザ毎にそれぞれ登録されている、グループ分けされた各ユーザの個別番組選択リストの内、登録元のユーザに対し、アクセスを許可する登録グループのことをいう。
図１４に示す登録関係情報には、例えば、装置ＩＤが「Ｘ１１」の装置のユーザであるユーザＩＤが「０１」のＡＡさんについては、登録元であるＡさんに対して、登録グループ２へのアクセスが、Ｂさんに対して、登録グループ１及び２へのアクセスがそれぞれＡＡさんから許可されていることが示されている。
【００７７】
又、「ユーザ別登録グループ情報」とは、登録元の各ユーザを登録グループ毎にグループ分けするために用いられるグループ分類テーブルのことをいい、具体的には、登録先の番組選択支援装置２００のＩＤと登録先のユーザＩＤと登録グループと登録グループに属する各登録元ユーザの個別番組選択リストを特定するための、リスト特定情報（ユーザＩＤ、番組選択支援装置の装置ＩＤ、登録元アクセス許可グループ）との対応関係を示す情報のことをいう。
【００７８】
図１５は、ユーザ別登録グループ情報の具体例を示す。図１５（ａ）の１５０１は、登録先の番組選択支援装置のＩＤを示し、１５０２は、登録先のユーザＩＤを示し、１５０３は、登録グループ１に属する各リスト特定情報を示し、１５０４は、登録グループ２に属する各リスト特定情報を示す。各リスト特定情報の示すユーザＩＤは、登録元のユーザＩＤを表し、各リスト特定情報の示す装置ＩＤは、登録元の番組選択支援装置ＩＤを表し、各リスト特定情報の示すグループは、登録元アクセス許可グループを表す。
【００７９】
図１５に示すユーザ別登録グループ情報には、ユーザＩＤが「０１」のＡＡさんが、アクセス及びアクセス許可することが可能な登録グループとして、登録グループ１にＡＡさんと同一の番組選択支援装置（Ｘ１１）の利用者であるユーザＩＤが「０２〜０４」のユーザが、登録グループ２に外部装置（Ａ１１、Ｂ１１）のユーザと各外部装置のユーザによって当該登録グループに属するユーザの番組選択リストへのアクセスを許可されている、登録グループとがそれぞれ登録されていることが示されている。
【００８０】
図１４に示す例では、ＡＡさんについては、登録元アクセス許可グループとして図１５（ｂ）に示すユーザ別登録グループ情報の登録グループ２と、図１５（ｃ）に示すユーザ別登録情報の登録グループ１及び２とが指定されている。
番組選択リスト作成部２０９は、番組選択リスト作成処理、ユーザ登録処理、登録グループ登録処理を行う。
（番組リスト作成処理）
１．内部ユーザ番組リストの作成処理
番組選択リスト作成部２０９は、番組選択条件入力部２１１から入力される、ユーザからの番組選択条件指示において指定される、ユーザＩＤ、放送番組の選択条件（例えば、放送時間帯の範囲指定、放送チャンネルの範囲指定、ジャンル名などの番組属性）に基づいて、番組情報記憶部１１０に記憶されている各放送番組情報から選択条件に該当する番組内容情報を特定し、特定した番組内容情報に含まれる放送番組名に基づいて個別番組選択リストを作成し、番組選択リスト記憶部２０８に記録する。
２．外部ユーザ番組リストの取得処理
番組選択リスト作成部２０９は、番組選択条件入力部２１１から入力される、ユーザからの登録グループ番組選択リスト作成指示において指定される、ユーザＩＤ、登録グループに基づいて、番組選択リスト記憶部２０８から、当該ユーザＩＤについてのユーザ別登録グループ情報を読出し、読出したユーザ別登録グループ情報を参照して、指定された登録グループに属する各ユーザＩＤと外部装置ＩＤとの組を特定し、通信部２１２を介して特定した組の各外部装置に接続し、接続した各外部装置から、特定した組についての個別番組選択リストとユーザ別登録グループ情報とを取得して、それぞれ、番組選択リスト記憶部２０８、登録関係情報記憶部２１３に記録する。
【００８１】
さらに、番組選択リスト作成部２０９は、特定した組についての登録元アクセス許可グループを当該外部装置に通知し、当該外部装置から、登録元アクセス許可グループに属するユーザＩＤと外部装置ＩＤとの各組についての個別番組選択リストを取得して、番組選択リスト記憶部２０８に記録する。
具体的には、当該外部装置は、当該外部装置の有する登録関係情報記憶部に記憶されているユーザ別登録グループ情報を参照して、特定された組に対応付けられているユーザ別登録グループ情報を特定し、当該ユーザ別登録グループ情報において、通知された登録元アクセス許可グループに該当する登録グループに属する各ユーザＩＤと外部装置との組を選択し、当該外部装置に記憶されている個別番組選択リストの中から、選択した組に対応する個別番組選択リストを取得し、番組選択リスト作成部２０９に送信する。
【００８２】
又、当該ユーザ別グループ情報において、選択した組についての登録元アクセス許可グループが更に存在する場合には、当該外部装置は、当該組に対応付けられているユーザ別登録グループ情報を参照して、当該登録元アクセス許可グループに属する各組についての個別番組選択リストを、上記と同様にして取得し、番組選択リスト作成部２０９に送信する。
【００８３】
なお、外部装置からの個別番組選択リストの取得処理を、ユーザからの登録グループ番組選択リスト作成指示によらず、定期的にユーザ別登録グループ情報に登録されている全ての外部装置からの個別番組選択リストの取得を試み、取得に成功した個別番組選択リストを記録することにより、随時、外部装置に基づく個別番組選択リストを更新することとしてもよい。
３．複合番組選択リストの作成処理
番組選択リスト作成部２０９は、番組選択リスト管理部２０４から入力されるユーザからの複合番組選択処理の起動指示において指定される、ユーザＩＤ、番組選択支援装置のＩＤ、登録グループに基づいて、指定されたユーザＩＤに対応付けられているユーザ別登録グループ情報を登録関係情報記憶部２１３から読出し、当該ユーザ別登録グループ情報を参照して、指定された登録グループに属する各外部装置ＩＤとユーザＩＤとの組と当該組について指定されている登録元アクセス許可グループとを選択し、番組選択リスト記憶部２０８より、選択した各組に対応する個別番組選択リストを取得し、さらに、登録関係情報記憶部２１３より、各組に対応するユーザ別登録グループ情報を取得し、当該ユーザ別登録グループ情報において、選択した登録元アクセス許可グループに該当する登録グループに属する各登録元ユーザＩＤと登録元外部装置との組を特定し、番組選択リスト記憶部２０８より、特定した各組に対応する個別番組選択リストを取得し、さらに、指定されたユーザＩＤと番組選択支援装置との組に対応する個別番組選択リストを番組選択リスト記憶部２０８より取得し、取得した全ての個別番組選択リストを組み合わせた複合番組選択リストを作成して、番組選択リスト記憶部２０８に記録する。
【００８４】
複合番組選択リストの作成は、具体的には、以下の手順に従って行われる。
複合番組選択リスト作成指示において、指定されたユーザＩＤと番組選択支援装置ＩＤとの組に対応付けられている個別番組選択リストに予約者特定情報（個別番組選択リストにおいて、視聴予約又は録画予約が有る場合に、予約者を特定する情報、具体的には、ユーザＩＤとその装置ＩＤ又は、ユーザＩＤのみ）を付加してベースリストを作成し、ベースリストと取得した他の組についての個別番組選択リスト（以下、「非ベースリスト」と総称する。）とを比較し、ベースリストに含まれていない放送番組名が非ベースリストに含まれている場合には、当該放送番組名をベースリストに追加し、ベースリストにおいて、当該放送番組名に対応する連続未選択回数を０に設定し、さらに、追加した放送番組名の放送番組についての視聴予約有無、録画予約有無を非ベースリストに基づいて判定し、視聴予約又は録画予約が有る場合には、ベースリストにその旨を示す予約済情報と非ベースリストにおける予約者の予約者特定情報とをベースリストに記録し、非ベースリストの放送番組名がベースリストに含まれている場合には、当該放送番組名をベースリストに追加せず、さらに、当該放送番組名の放送番組の視聴予約有無、録画予約有無を非ベースリストに基づいて判定し、視聴予約又は録画予約が有る場合には、ベースリストにその旨を示す予約済情報と非ベースリストにおける予約者の予約者特定情報を記録する。
【００８５】
上記の手順を取得した各非ベースリストに含まれる全ての放送番組名について、繰り返して複合番組選択リストを作成して、番組選択リスト記憶部２０８に記録し、対応する更新フラグを「更新」を示すフラグに設定する。
図１６は、上記手順により作成された複合番組選択リストの具体例を示す。図１６に示す複合番組選択リストは、図１３（ａ）の個別番組選択リストをベースリストとし、図１３の（ａ）、（ｂ）、（ｃ）に示す各個別番組選択リストを上記手順に従って組み合わせて作成した場合における複合番組選択リストの具体例を示す。図１６の「＊」印は、ベースリストに追加された放送番組名を示す。
（ユーザ登録処理）
番組選択リスト作成部２０９は、通信部２１２を介して、外部装置のユーザからのユーザ登録要求を受取る毎に、当該ユーザ登録要求において指定される、登録先及び登録元のユーザＩＤ、登録元ユーザの属する外部装置のＩＤ、登録元アクセス許可グループと、登録先のユーザの属する番組選択支援装置２００の番組選択条件入力部２１１から、当該ユーザによってリモコン１０１を介して入力される、登録先アクセス許可グループとに基づいて、登録関係情報を作成し、登録関係情報記憶部２１３に記録する。
（登録グループ登録処理）
番組選択リスト作成部２０９は、登録関係情報を作成すると、当該登録関係情報に係る登録要求において、指定された登録先ユーザＩＤについてのユーザ別登録グループ情報を登録関係情報記憶部２１３から読出し、登録元のユーザＩＤを登録すべき登録グループの指定を、番組選択条件入力部２１１を介してユーザから受取り、読出したユーザ別登録グループ情報における指定された登録グループに、登録元のユーザＩＤと登録元の外部装置ＩＤとを登録し、登録後のユーザ別登録グループ情報を登録前のものと書き換えて登録関係情報記憶部２１３に記録する。
【００８６】
なお、登録グループの指定は、登録元のユーザ属性に基づいて、同一のユーザ属性を有するユーザが同一グループとなるように登録先ユーザによって行われるものとする。例えば、同じ会社に属するユーザ同志を第一グループに、趣味の仲間に属するユーザ同志が第２グループに、近所に在住のユーザ同志が第３グループとなるように指定される。
又、登録先ユーザ側で、当該ユーザのユーザＩＤと当該ユーザが属する番組選択支援装置ＩＤとの組と登録が想定される登録元ユーザＩＤと登録グループとの対応関係を示す登録テーブルを予め登録関係情報記憶部２１３に記録しておき、登録元ユーザからユーザ登録要求が有ったときに、番組選択リスト作成部２０９が当該ユーザ登録要求において、指定された登録先ユーザＩＤについてのユーザ別登録グループ情報及び登録テーブルを読出し、当該登録テーブルを参照して登録元ユーザＩＤに対応付けられている登録グループを特定し、読出したユーザ別登録グループ情報において、特定した登録グループに相当する登録グループに登録元のユーザＩＤと外部装置ＩＤとを登録することとしてもよい。
【００８７】
番組選択条件入力部２１１は、リモコン２０１を介してユーザからの番組選択条件指示、登録グループ番組選択リスト作成指示、登録先アクセス許可グループ等の入力を受取り、番組選択リスト作成部２０９に出力する。
通信部２１２は、番組選択リスト作成部２０９からの指示に応じて、外部装置との接続を確立する。
【００８８】
具体的には、番組選択リスト作成部２０９より、接続先の外部装置のＩＤを受取り、当該ＩＤが当該外部装置のＩＰアドレスである場合には、受取ったＩＰアドレスを介して当該外部装置と接続し、当該ＩＤが識別子である場合には、外部装置の識別子と当該外部装置に付与されているＩＰアドレスとの対応関係を管理している外部サーバと接続して、当該外部装置のＩＰアドレスを外部サーバから取得して、当該外部装置との接続を確立する。
【００８９】
番組選択リスト管理部２０４は、実施の形態１における番組選択リスト管理部１０４の有する機能に加え、複合番組選択リストが更新されたか否かを示す更新フラグを監視し、番組選択部２０２より、複合番組選択処理の起動指示の通知があると、番組選択リスト作成部２０９に通知し、番組選択リスト作成部２０９又は番組表管理部２０７によって複合番組選択リストが作成又は更新され、番組選択リスト記憶部２０８に記憶されている複合番組選択リストと対応付けられている、更新フラグが「更新」を示している場合に、番組選択リスト記憶部２０８から複合番組選択リストの各放送番組名を読出し、表示制御部２０６に出力する。
【００９０】
なお、ここでは、番組選択装置２００の複合番組選択処理の起動時の初期状態においては、更新フラグは、「更新」を示しているものとする。
番組表管理部２０７は、実施の形態１における番組表管理部１０７の有する機能に加え、複合番組選択リスト対応全体放送番組表（以下、「対応番組表」という。）の作成処理と表示対応番組表の作成処理を行い、複合番組選択リストについて、番組表管理部１０７の行う番組選択リスト更新処理と同様の更新処理を行う。
（対応番組表の作成処理）
番組表管理部２０７は、番組選択部２０２より、複合番組選択処理の起動指示の通知が有った場合、番組情報記憶部１１０に記憶されている各放送番組情報と、番組選択リスト記憶部２０８に記憶されている複合番組選択リストとに基づいて、対応番組表を作成し、作成した対応番組表を番組情報記憶部１１０に記録する。
【００９１】
ここで、「対応番組表」とは、全体放送番組表に含まれる番組内容情報のうち、複合番組選択リストにおいて視聴又は録画予約されている番組内容情報について、視聴又は録画予約されている旨を示す予約済情報と、予約しているユーザを特定する予約者特定情報（例えば、ユーザＩＤと当該ユーザが属する装置ＩＤ、ユーザ名などのユーザを特定する情報）とを付加した全体放送番組表のことをいう。
【００９２】
図１７は、対応番組表の具体例を示す。
（表示対応番組表の作成処理）
番組表管理部２０７は、表示制御部２０６より候補番組名の通知を受取ると、作成した対応番組表において、候補番組名を含む番組内容情報を特定し、さらに当該番組内容情報が対応付けられている放送時間帯及び放送チャンネルを中心とする所定範囲の放送時間帯及び放送チャンネルから構成される放送番組表を対応番組表から抽出することにより、表示番組表（以下、「表示対応番組表」という。）を作成する。
【００９３】
なお、番組表管理部２０７は、複合番組選択リストについても、実施の形態１における番組選択リスト更新処理と同様の更新処理を行う。
表示制御部２０６は、実施の形態１における表示制御部１０６の行う機能に加え、以下に示す機能を有する。
表示制御部２０６は、複合番組選択処理が起動されている場合に、番組選択リスト管理部２０４より入力された、複合番組選択リストの各放送番組名に基づいて、複合番組選択リストのＧＵＩ表示画面を合成し、表示部１０５に表示させ、既に表示部１０５に複合番組選択リストのＧＵＩ表示画面が表示されている場合には、表示中の複合番組選択リストを削除して、新に合成した複合番組選択リストのＧＵＩ表示画面を表示部１０５に表示させ、さらに番組選択リスト管理部２０４より、候補番組名の通知を受取ると、番組表管理部２０７に候補番組名を通知し、表示部１０５に表示されている選択リストの中の候補番組名上を反転表示させる。
【００９４】
表示制御部２０６は、番組表管理部２０７より作成された表示対応番組表に基づいて、表示対応番組表のＧＵＩ表示画面を合成し、表示部１０５に表示させ、表示対応放送番組表に表示されている番組内容情報のうち、候補番組名を含む番組内容情報上にカーソル表示させる。図１８は、表示部１０５に表示された複合番組選択リストと表示対応番組表の具体例を示す。図１８の１８０１は、複合番組選択リストの具体例を示し、１８０１では、候補番組名である「ステーションＭ」が反転表示されていることを示し、１８０２は、表示対応番組表の具体例を示し、１８０２では、１８０１で候補番組として選択された「ステーションＭ」の番組内容情報がカーソル表示（図１８では枠表示）されていることを示し、録画予約されている、「ドラマＧ」、「ステーションＭ」、「映画Ｍ」の各番組内容情報には、予約済情報と予約者特定情報（ここでは、ユーザ名）が表示されている。
＜動作＞
次に、番組選択支援装置２００の行う複合番組選択リストによる番組選択の動作について説明する。
【００９５】
上記動作は、複合番組選択リスト作成処理の動作と複合番組選択処理の動作と複合番組選択リスト更新処理の動作とから構成される。
最初に、番組選択リスト作成部２０９の行う複合番組選択リストの作成処理の動作について、図１３及び図１５に示す具体例と対照させながら説明する。図１９及び図２０は、上記動作を示すフローチャートである。
【００９６】
番組選択リスト作成部２０９は、番組選択条件入力部２１１から、複合番組選択処理の起動指示の入力があると（ステップＳ１９０１）、入力された起動指示において指定されたユーザＩＤと番組選択支援装置ＩＤとの組に対応付けられている個別番組選択リストを番組選択リスト記憶部２０８より取得し、取得した個別番組選択リストに予約者特定情報を付加してベースリストを作成する（ステップＳ１９０２）。例えば、ユーザＩＤとして「０１」、番組選択支援装置ＩＤとして「Ｘ１１」が起動指示において指定されると、番組選択リスト作成部２０９は、図１３（ａ）に示すＡＡさんの個別番組選択リストを取得し、取得した個別番組選択リストにＡＡさんを特定する予約者特定情報を付加してベースリストを作成する。
【００９７】
さらに、指定されたユーザＩＤと番組選択支援装置ＩＤとの組に対応するユーザ別登録グループ情報を、登録関係情報記憶部２１３より取得する（ステップＳ１９０３）。上記のようにユーザＩＤとして「０１」、番組選択支援装置ＩＤとして「Ｘ１１」が指定された場合には、番組選択リスト作成部２０９は、図１５に示すＡＡさんのユーザ別登録グループ情報を取得する。
【００９８】
さらに、番組選択リスト作成部２０９は、取得したユーザ別登録グループ情報を参照して、起動指示において指定された登録グループに属する各外部装置ＩＤとユーザＩＤとの組と当該組について指定されている登録元アクセス許可グループとを選択し（ステップＳ１９０４）、番組選択リスト記憶部２０８より、選択した各組に対応付けられている個別番組選択リストを取得し、取得した個別番組選択リストに予約者特定情報を付加して非ベースリストを作成する（ステップＳ１９０５）。例えば、起動指示において、登録グループ２が指定された場合には、図１５に示すＡＡさんのユーザ別登録グループ情報を参照して登録グループ２に属する外部装置ＩＤ「Ａ１１」とユーザＩＤ「０１１」との組と当該組について指定されている登録元アクセス許可グループ２、及び同じく登録グループ２に属する外部装置ＩＤ「Ｂ１１」とユーザＩＤ「０１２」との組と当該組について指定されている登録元アクセス許可グループ１及び２を選択し、選択した外部装置ＩＤ「Ａ１１」とユーザＩＤ「０１１」との組と、外部装置ＩＤ「Ｂ１１」とユーザＩＤ「０１２」との組のそれぞれの組に対応付けられている個別番組選択リストである図１３（ｂ）と（ｃ）に示すＡさん、Ｂさんの個別番組選択リストを取得し、取得した個別番組選択リストに予約者特定情報を付加して非ベースリストを作成する。
【００９９】
登録関係情報記憶部２１３より、選択した各組に対応付けられているユーザ別登録グループ情報を取得し（ステップＳ１９０６）、取得した各ユーザ別登録グループ情報において、当該ユーザ別登録グループ情報に対応付けられている組について、指定されている登録元アクセス許可グループに相当する登録グループに属する各外部装置ＩＤとユーザＩＤとの組に対応付けられている個別番組選択リストを番組選択リスト記憶部２０８より取得し、取得した個別番組選択リストに予約者特定情報を付加して非ベースリストを作成する（ステップＳ１９０７）。上記のように、選択した各組（外部装置ＩＤ「Ａ１１」とユーザＩＤ「０１１」との組及び外部装置ＩＤ「Ｂ１１」とユーザＩＤ「０１２」との組の各組）に対応付けられている、図１５（ｂ）と図１５（ｃ）に示すユーザ別登録グループ情報を登録関係情報記憶部２１３よりそれぞれ取得し、外部装置ＩＤ「Ａ１１」とユーザＩＤ「０１１」との組に対応付けられている、図１５（ｂ）に示すユーザ別登録グループ情報においては、当該組について指定されている登録元アクセス許可グループ２に属する外部装置ＩＤ「Ｊ１１」とユーザＩＤ「０１１」との組を選択し、外部装置ＩＤ「Ｂ１１」とユーザＩＤ「０１２」との組に対応付けられている、図１５（ｃ）に示すユーザ別登録グループ情報においては、当該組について指定されている登録元アクセス許可グループ１及び２にそれぞれ属する自装置ＩＤ「Ｂ１１」とユーザＩＤ「０１２１」との組と、外部装置ＩＤ「Ｋ１１」とユーザＩＤ「２２」との組とを選択し、選択した各組に対応付けられている個別番組選択リストをそれぞれ番組選択リスト記憶部２０８より取得し、取得した個別番組選択リストに予約者特定情報を付加して非ベースリストを作成する。
次に、番組選択リスト作成部２０９は、作成したベースリストと各非ベースリストとを比較し（ステップＳ１９０８）、ベースリストに含まれていない放送番組名が比較対象の非ベースリストに含まれているか否かを判定し（ステップＳ１９０９）、含まれている場合には（ステップＳ１９０９：Ｙ）、当該放送番組名をベースリストに追加し（ステップＳ１９１０）、取得したベースリストにおいて、当該放送番組名に対応する連続未選択回数を０に設定し、さらに、追加した放送番組名の放送番組についての視聴予約有無、録画予約有無を非ベースリストに基づいて判定し（ステップＳ１９１１）、視聴予約又は録画予約が有る場合には（ステップＳ１９１１：Ｙ）、ベースリストにその旨を示す予約済情報と予約者特定情報とを記録し（ステップＳ１９１２）、取得した全ての非ベースリストについて、ベースリストとの比較が完了したか否かを判定し（ステップＳ１９１３）、完了した場合には（ステップＳ１９１３：Ｙ）、放送番組名が追加されたベースリストを番組選択リスト記憶部２０８に記録し（ステップＳ１９１４）、完了していない場合には（ステップＳ１９１３：Ｎ）、次の非ベースリストについて、ステップＳ１９０８の処理を繰り返す。
【０１００】
ステップＳ１９０９の判定が否定的である場合には（ステップＳ１９０９：Ｎ）、当該放送番組名をベースリストに追加せず、さらに、当該放送番組名の放送番組について、ステップＳ１９１１の処理を行う。
次に、番組選択支援装置２００の行う複合番組選択処理の動作について説明する。図２１は、上記動作を示すフローチャートである。
【０１０１】
番組選択リスト管理部２０４は、番組選択リスト作成部２０９による複合番組選択リストの作成処理が終了すると、番組選択リスト記憶部２０８に記憶されている複合番組選択リストから複合番組選択リストの各放送番組名を読出し、表示制御部２０６に出力する（ステップＳ２１０１）。
さらに、番組表管理部２０７は、番組情報記憶部１１０に記憶されている各放送番組情報と、番組選択リスト記憶部２０８に記憶されている複合番組選択リストとに基づいて、対応番組表を作成し、当該対応番組表において、複合番組選択リストの所定の放送番組名（例えば、先頭の放送番組名、以下、「初期放送番組名」という。）を含む番組内容情報を特定し、さらに当該番組内容情報が対応付けられている放送時間帯及び放送チャンネルを中心とする所定範囲の放送時間帯及び放送チャンネルから構成される放送番組表を対応番組表から抽出することにより、表示対応番組表を作成して、表示制御部２０６に出力する（ステップＳ２１０２）。
【０１０２】
表示制御部２０６は、番組選択リスト管理部２０４より入力された複合番組選択リストの各放送番組名に基づいて、複合番組選択リストのＧＵＩ表示画面を合成し、表示部１０５に表示させ（ステップＳ２１０３）、表示部１０５に表示されている複合番組選択リストの中の初期放送番組名の表示箇所を反転表示させ、さらに、番組表管理部２０７より入力された表示対応番組表に基づいて、表示対応番組表のＧＵＩ表示画面を合成し、表示部１０５に表示させ（ステップＳ２１０４）、表示対応番組表の表示画面において、複合番組選択リストにおいて反転表示されている放送番組名を含む番組内容情報の表示箇所をカーソル表示させた後、カーソル表示させるＧＵＩ表示画面を複合番組選択リストのＧＵＩ表示画面に設定し（ステップＳ２１０５）、上下方向キー１０１１、１０１３の何れかのキーの操作により、カーソル移動指示が有ると（ステップＳ２１０６：Ｙ）、複合番組選択リストのＧＵＩ表示画面上のカーソル表示を、指示された方向の放送番組名上に移動させ（ステップＳ２１０７）、番組選択リスト管理部２０４からの候補番組の通知の有無により、番組選択指示が入力されたか否かを判定する（ステップＳ２１０８）。
【０１０３】
番組選択指示が入力された場合（ステップＳ２１０８：Ｙ）、表示制御部２０６は、番組表管理部２０７に候補番組名を通知し、表示部１０５に表示されている選択リストの中の候補番組名の表示を図１８の１８０１に示すように、反転表示させる（ステップＳ２１０９）。
次に、番組表管理部２０７は、表示制御部２０６より候補番組名の通知を受取ると、番組情報記憶部１１０に記憶されている対応番組表において、候補番組名を含む番組内容情報を特定し、さらに当該番組内容情報が対応付けられている放送時間帯及び放送チャンネルを中心とする所定範囲の放送時間帯及び放送チャンネルから構成される放送番組表を対応番組表から抽出することにより、表示対応番組表を作成し（ステップＳ２１１０）、表示制御部２０６に出力する。
【０１０４】
次に、表示制御部２０６は、番組表管理部２０７より入力された表示対応番組表に基づいて、表示対応番組表のＧＵＩ表示画面を合成し、表示部１０５に表示させ（ステップＳ２１１１）、図１８の１８０２に示すように、表示対応番組表に表示されている番組内容情報のうち、候補番組名を含む番組内容情報上にカーソル表示を切り替え（ステップＳ２１１２）、上下左右方向キー１０１１〜１０１４の何れかのキーの操作により、カーソル移動指示が有ると（ステップＳ２１１３：Ｙ）、表示対応番組表のＧＵＩ表示画面上のカーソル表示を、指示された方向の番組内容情報上に移動させ（ステップＳ２１１４）、番組表管理部２０７からの、視聴予約又は録画予約された放送番組の放送時間帯、放送チャネル、番組内容情報の通知の有無により、視聴予約又は録画予約確定指示が入力されたか否かを判定する（ステップＳ２１１５）。
【０１０５】
視聴予約又は録画予約確定指示が入力された場合（ステップＳ２１１５：Ｙ）、表示制御部２０６は、表示部１０５に表示されている表示対応番組表のＧＵＩ表示画面における通知された番組内容情報の表示を反転表示させ（ステップＳ２１１６）、番組選択リスト管理部２０４に視聴予約又は録画予約確定指示が入力された番組内容情報の放送番組名を番組選択リスト管理部２０４に通知し、後述する複合番組選択リスト更新処理を行わせ（ステップＳ２１１７）、切替キー１０１５の操作により、カーソルを表示させるＧＵＩ表示画面の切替指示の入力が有ると（ステップＳ２１１８：Ｙ）、ステップＳ２１０５の処理に移行し、切替指示の入力がない場合には、ステップＳ２１１３の処理に移行する。
【０１０６】
次に、番組選択支援装置２００の行なう番組選択リスト更新処理の動作について説明する。図２２及び図２３は、上記動作を示すフローチャートである。
番組選択リスト管理部２０４は、視聴予約又は録画予約の確定された放送番組名の通知を表示制御部２０６より受取ると、複合番組選択リスト及びそのベースリストについて、通知された放送番組名に対応する、該当するユーザ（各選択リストの元ユーザ）の視聴又は録画予約状況を更新し（ステップＳ２２０１）、さらに、複合番組選択リストについては、予約者特定情報を更新する。
【０１０７】
ステップＳ２２０１以降の処理は、図６及び図７に示す実施の形態１における番組選択リスト更新処理の動作の記載において、「番組選択リスト」の記載を「複合番組選択リスト」の記載に読み替えた処理と同様であるので説明を省略する。
＜補足＞
以上、本発明に係る番組選択支援装置１００、２００について、実施の形態１及び２に基づいて説明したが、本発明はこれら実施の形態に限られないことは勿論である。
（１）例えば、実施の形態１における図５に示す番組選択処理のステップＳ５１６において、番組表管理部１０７より選択確定された番組内容情報の通知を受取ると、表示制御部１０６は、表示部１０５に表示されている表示番組表のＧＵＩ表示画面における通知された番組内容情報の表示を反転表示させることとしたが、さらに、図６のステップＳ６０１において、当該番組内容情報の示す放送番組名が番組選択リストに存在する場合には（ステップＳ６０１：Ｙ）、番組表管理部１０７は、当該放送番組名とその連続未選択回数とを番組選択リストから削除し、表示制御部１０６が削除後の番組選択リストの各放送番組名を表示部１０５に表示させることとしてもよい。
【０１０８】
具体的には、図８及び図９のフローチャートに示すように、選択確定された番組内容情報の示す放送番組名が番組選択リストに存在する場合に（ステップＳ６０１：Ｙ）、番組表管理部１０７は、当該放送番組名とその連続未選択回数とを番組選択リストから削除し、削除した番組選択リストを番組選択リスト記憶部１０８に記録し、更新フラグを「更新」を示すフラグに設定する（ステップＳ７０１）。
【０１０９】
なお、図７において、図６のフローチャートと同じ処理を示す各ステップ番号には、図６において付与されているステップ番号と同じ番号が付与されている。
次に番組選択リスト管理部１０４は、更新フラグが「更新」を示すフラグに設定されると、番組選択リスト記憶部１０８から更新された番組選択リストの各放送番組名の選択リストを読出した後、更新フラグを「未更新」を示すフラグに設定して、表示制御部１０６に出力する（ステップＳ７０２）。
【０１１０】
次に表示制御部１０６は、番組選択リスト管理部１０４より入力された各放送番組名に基づいて、放送番組名の選択リストのＧＵＩ表示画面を合成し、表示中の選択リストを削除して、新に合成した選択リストのＧＵＩ表示画面を表示部１０５に表示させ（ステップＳ７０３）、更新された番組選択リストにおいて、当該選択リストに含まれる放送番組名の連続未選択回数を１増やす（ステップＳ７０４）。
【０１１１】
実施の形態２における番組選択リスト更新処理においても、図２１及び図２２に示すフローチャートにおける対応箇所を、図８及び図９に示すフローチャートに示すものと同様にして変更することにより、図２２のステップＳ２２０２において、番組内容情報の示す放送番組名が複合番組選択リストに存在する場合には（ステップＳ２２０２：Ｙ）、番組表管理部２０７は、当該放送番組名とその連続未選択回数とを複合番組選択リストから削除し、表示制御部２０６が削除後の複合番組選択リストの各放送番組名を表示部２０５に表示させることとしてもよい。
【０１１２】
又、図１０及び図１１のフローチャートに示すように、図６のステップＳ６０１において、当該番組内容情報の示す放送番組名が番組選択リストに存在する場合に（ステップＳ６０１：Ｙ）、番組表管理部１０７が、当該放送番組名を表示制御部１０６に通知し（ステップＳ８０１）、表示制御部１０６は、表示部１０５に表示されている選択リストのＧＵＩ表示画面の中の通知された放送番組名の表示を「選択済み」であることを示すように、選択リストの中の他の放送番組名の表示態様とは異なる表示態様で表示（例えば、選択リストの中の他の放送番組名とは異なる色で表示、通知された放送番組名の表示に、「選択済」という文字を示すアイコン表示を付加）させる（ステップＳ８０２）こととしてもよい。
【０１１３】
なお、図８において、図６のフローチャートと同じ処理を示す各ステップ番号には、図６において付与されているステップ番号と同じ番号が付与されている。
又、実施の形態２における番組選択リスト更新処理においても、図２１及び図２２に示すフローチャートにおける対応箇所を、図１０及び図１１に示すフローチャートに示すものと同様にして変更することにより、表示制御部２０６が、表示部１０５に表示されている複合番組選択リストのＧＵＩ表示画面の中の通知された放送番組名の表示を「視聴又は録画予約済み」であることを示すように、複合番組選択リストの中の他の放送番組名の表示態様とは異なる表示態様で表示（例えば、選択リストの中の他の放送番組名とは異なる色で表示、通知された放送番組名の表示に、「選択済」という文字を示すアイコン表示を付加）させることとしてもよい。
（２）又、実施の形態１においては、図６の番組選択リストの更新処理において、共通する番組属性を有する番組内容情報が存在する場合（ステップＳ６０５：Ｙ）、該当する放送番組名を番組選択リストに追加することとしたが（ステップＳ６０８）、番組選択リストに追加する代わりに、図５のステップＳ５１０の処理と同様に、該当する番組内容情報が対応付けられている放送時間帯及び放送チャンネルを中心とする所定範囲の放送時間帯及び放送チャンネルから構成される放送番組表を全体放送番組表から抽出することにより、表示番組表を順次作成し、表示部１０５に表示させることとしてもよい。
【０１１４】
実施の形態２における番組選択リスト更新処理においても、図２０及び図２１に示すフローチャートにおいて、上記と同様の変更をすることにより、番組選択リストに追加する代わりに、図２１のステップＳ２１１０の処理と同様に、該当する番組内容情報が対応付けられている放送時間帯及び放送チャンネルを中心とする所定範囲の放送時間帯及び放送チャンネルから構成される放送番組表を対応番組表から抽出することにより、表示対応番組表を順次作成し、表示部１０５に表示させることとしてもよい。
（３）又、実施の形態１及び２においては、番組情報記憶部１１０に記憶されている各放送番組情報は、所定期間内に放送される各放送チャンネルにおける放送番組の内容を示す番組内容情報を含むこととしたが、所定期間内に放送される各放送チャンネルにおける放送番組は、現在又は今後放送される放送番組であってもよいし、既に放送された放送番組を含むこととしてもよい。
（４）又、実施の形態１及び２においては、選択確定された番組内容情報のＧＵＩ表示画面における表示を反転表示させることとしたが、ＧＵＩ表示画面における選択確定されていない番組内容情報の表示と区別できる表示態様であれば、他の表示態様で選択確定された番組内容情報の表示をさせることとしてもよい。例えば、選択確定された番組内容情報の表示と選択確定されていない番組内容情報の表示とを異なる色で表示させることとしてもよい。
【０１１５】
又、選択リストのＧＵＩ表示画面における候補番組名の表示についても同様に、反転表示に限らず、選択リストの他の放送番組名の表示と区別できる表示態様であれば、他の表示態様で候補番組名を表示させてもよい。
（５）実施の形態１における番組選択支援装置１００は、例えば、録画予約する放送番組を選択するのに用いることとしてもよいし、視聴予約する放送番組を選択するのに用いることとしてもよい。
【０１１６】
具体的には、放送受信装置において、番組選択支援装置１００を備えることとし、放送受信装置が番組情報記憶部１１０に記憶されている各放送番組情報の選択確定フラグに基づいて、「選択確定済」の放送番組情報を特定し、当該放送番組情報の示す放送時間帯及び放送チャンネルに基づいて、受信すべき放送を特定し、特定した放送を受信し、録画することとしてもよい。
【０１１７】
実施の形態２においても、上記放送受信装置において、番組選択支援装置２００を備えることとしてもよい。
（６）実施の形態１における表示番組表及び実施の形態２における表示対応番組表は、番組選択指示の入力によって選択指示された候補番組の放送時間帯及び放送チャンネルを中心とする所定範囲の放送時間帯及び放送チャンネルに対応する各番組内容情報から構成される放送番組表としたが、中心に限らず、選択指示された候補番組の放送時間帯及び放送チャンネルを含む所定範囲の放送時間帯及び放送チャンネルに対応する各番組内容情報から構成される放送番組表であってもよい。
（７）実施の形態１及び２においては、番組選択リスト作成部１０９又は番組選択リスト作成部２０９は、番組選択条件入力部１１１から入力される放送番組の選択条件（例えば、放送時間帯、放送チャンネル、ジャンル名などの属性情報）に基づいて、番組情報記憶部１１０に記憶されている各放送番組情報から選択条件に該当する放送番組名を特定し、特定した放送番組名に基づいて番組選択リストを作成し、番組選択リスト記憶部１０８に記録することとしたが、ユーザによって選択確定指示された番組内容情報の履歴情報に基づいて番組選択リストを作成することとしてもよい。
【０１１８】
具体的には、番組表管理部１０７は、確定された放送番組の放送時間帯、放送チャネル、番組内容情報に対応する選択確定フラグを「選択確定済」を示すフラグに設定する毎に、当該番組内容情報から放送番組の番組名、主要出演者名、ジャンル名など放送番組の属性を示す各情報（以下、「番組属性要素情報」という。）を抽出し、抽出した各番組属性要素情報を当該番組属性要素情報の総抽出回数に基づいて点数化した値である評価値と対応付けて番組情報記憶部１１０に記録することとし、ユーザのリモコン操作により、番組選択条件入力部１１１を介して入力される選択条件である、放送時間帯及び放送チャンネルの範囲指定の入力がされると、番組選択リスト作成部１０９が、番組情報記憶部１１０に記録されている番組属性要素情報の評価値が閾値を超える番組属性要素情報を特定し、入力された放送時間帯及び放送チャンネルの指定範囲において、番組情報記憶部１１０に記憶されている各放送番組情報から、特定した番組属性要素情報を含む番組内容情報を選択し、選択した番組内容情報に含まれる放送番組名に基づいて番組選択リストを作成することとしてもよい。
【０１１９】
ここで、「評価値」は、当該番組要素情報の抽出回数そのものであってもよいし、抽出回数に応じて重み付けをした値（例えば、抽出回数が1〜３回の場合には、評価値を抽出回数の１倍の値とし、４〜６回の場合には評価値を抽出回数の２倍の値とし、７〜９回の場合には評価値を抽出回数の３倍の値とするというように、抽出回数に応じて段階的に重み付けた値）であってもよいし、抽出回毎に重みつけをした値、例えば抽出回毎に、当該番組属性要素情報を含む番組内容情報に対応する放送時間に相当する数値（例えば、放送時間が１時間の場合には、６０）を加算した値であってもよい。
【０１２０】
又、番組表管理部１０７は、確定された番組内容情報から番組属性要素情報を抽出する毎に、当該番組属性要素情報が番組情報記憶部１１０に記録されている場合には、当該番組属性要素情報の評価値の値の更新をし、記録されていない場合には、新に当該番組要素情報を評価値の初期値と対応付けて番組情報記憶部１１０に記録する。
「更新」とは、評価値が抽出回数そのものである場合は、評価値の値を１増加した値に書換えることをいい、評価値が重み付けをした値である場合には、対応する重み付け値を直前の評価値に加算することをいう。
【０１２１】
「初期値」とは、評価値が抽出回数そのものである場合は、１が、評価値が重み付けをした値である場合には、相当する重み付け値が設定されるものとする。
又、番組内容情報から番組属性要素情報を抽出する単位は、上記に示す単位に限らず、さらに細かい単位であってもよい。例えば、番組名単位でなく、番組名を構成するキーワードの単位（例えば、番組名が“プロ野球「YYG  X  TTG」”である場合、「プロ野球」、「YYG」、「TTG」のキーワード単位）であってもよい。
【０１２２】
又、キーワードの抽出は、「、X、スペースなどの記号に基づいてキーワードの抽出単位を特定することにより、おこなうことができる。
（８）本実施の形態２においては、ベースリストと非ベースリストを組み合わせて複合番組選択リストを作成することとしたが、ベースリストと非ベースリストを組み合わせることなく、複合番組選択リストの作成処理において、指定された登録グループに属する、個別番組選択リストの提供者となる各ユーザの個別番組選択リストを個別に表示部１０５に表示させることとしてもよい。
【０１２３】
具体的には、図１９のフローチャートに示す複合番組選択リスト作成処理の動作において、選択された、指定された登録グループに属する各外部装置ＩＤとユーザＩＤとの組と、当該組について指定されている登録元アクセス許可グループに属する各外部装置ＩＤとユーザＩＤとの組とをユーザ特定情報として表示部１０５にＧＵＩ表示させ、リモコン１０１を介したユーザからのユーザ特定情報の選択指示の入力に応じて、当該ユーザ特定情報に対応付けられている番組選択リストを個別に表示部１０５に表示させることとしてもよい。その際、各リストの帰属するユーザを特定するための情報（例えば、各リストに対応付けられているユーザＩＤと装置ＩＤ）をリストに表示させることとしてもよい。
（９）本実施の形態２においては、複合番組選択リストの作成処理において、放送番組が視聴予約又は録画予約されているか否かにかかわらず、ベースリストに含まれていない放送番組であれば、非ベースリストに含まれている放送番組名を全てベースリストに追加することとしたが、視聴又は録画予約されている場合に限り、ベースリストに追加することとしてもよい。
（１０）本実施の形態２においては、表示対応番組表において、視聴又は録画予約されている番組内容情報について、予約者特定情報を付加して文字表示させることとしたが、予約者特定情報を文字で表示させる代わりに、色、模様、記号、図形等を各ユーザに対応付けて設定しておき、番組内容情報に対応する色、模様、記号、図形等で区別して表示させることとしてもよいし、文字と組み合わせて表示させることとしてもよい。
【０１２４】
又、予約者特定情報をユーザＩＤと当該ユーザが属する番組選択支援装置ＩＤとで構成することとし、予約情報の示す番組選択支援装置ＩＤに基づいて、表示制御部２０６が、予約者特定情報の示すユーザが、内部のユーザか、外部のユーザかを判定（当該ユーザの番組選択支援装置ＩＤが複合番組選択処理の起動指示において入力された番組選択支援装置ＩＤと一致する場合に内部のユーザと判定し、一致しない場合に、外部のユーザと判定）し、内部のユーザの予約者特定情報と外部のユーザの予約者特定情報とを区別して表示させることとしてもよい。例えば、内部のユーザの予約者特定情報を「赤」で表示させ、外部のユーザの予約者特定情報を「青」で表示させて区別してもよいし、内部のユーザの予約者特定情報を「四角の枠」に表示させ、外部のユーザの予約者特定情報を「楕円の枠」に表示させて区別してもよい。
【０１２５】
又、視聴又は録画予約されている場合に限らず、複合番組選択リストに含まれる各放送番組名について、その提供者を特定する提供者特定情報を、複合番組選択リストに付加することとして、表示対応番組表において、複合番組選択リストに含まれる番組内容情報について、提供者特定情報を文字で表示させることとしてもよいし、文字で表示させる代わりに、色、模様、記号、図形等を各提供者に対応付けて設定しておき、番組内容情報に対応する色、模様、記号、図形等で区別して表示させることとしてもよいし、文字と組み合わせて表示させることとしてもよい。
【０１２６】
具体的には、図１９及び図２０に示す複合番組選択リスト作成処理の動作のフローチャートにおいて、ステップＳ１９１１の判定が否定的である場合に、比較対象とした非ベースリストの提供者特定情報（個別番組選択リストにおいて、非ベースリストに対応付けられている外部装置ＩＤとユーザＩＤ）をベースリストに記録する処理を行い、その後、ステップＳ１９１３の処理に移行することとすることより、作成した複合番組選択リストに含まれる、未予約の各放送番組名について、非ベースリストの提供者特定情報を付加し、当該複合番組選択リストに基づいて、番組表管理部２０７に、非ベースリストのユーザ特定情報を付加した対応番組表を作成させ、表示制御部２０６に表示対応番組表として表示させることができる。
【０１２７】
又、この場合においても予約者特定情報の場合と同様にして、内部のユーザの提供者特定情報と外部のユーザの提供者特定情報とを区別して表示させることとしてもよい。又、さらに、予約者特定情報と提供者特定情報とを区別させて表示させることとしてもよい。
又、表示制御部２０６は、予め同時録画可能な放送番組数の閾値（閾値は、番組選択支援装置２００が接続される番組録画装置の備えるチューナ数に応じて決定されるものとする。）を保持し、作成された表示対応番組表において、重複する放送時間帯に予約されている放送番組の数を、内部のユーザの予約者特定情報を含む番組内容情報で、重複する放送時間帯に対応付けられている番組内容情報の数をカウントすることにより特定し、特定した数が閾値を超える場合に、重複する放送時間帯に対応付けられている番組内容情報の表示態様をその他の番組内容情報の表示態様と異なる表示態様とすることとしてもよい。
【０１２８】
ここで、「重複する放送時間帯」とは、一方の放送番組の放送時間帯が他方の放送番組の放送時間帯と一部または全部において、重複していることをいう。
例えば、重複する放送時間帯に対応付けられている番組内容情報の背景を「灰色」で表示させ、その他の番組内容情報の背景を「白色」で表示させることとしてもよい。
（１１）又、本実施の形態２においては、表示対応番組表において、視聴又は録画予約されている番組内容情報について、予約者特定情報を付加して文字表示させることとしたが、さらに、予約者特定情報によって特定されるユーザの属する登録グループ毎に区別した表示態様で表示させることとしてもよい。
【０１２９】
又、（１０）で説明した提供者特定情報についても、上記と同様の方法により、登録グループを特定し、特定した登録グループ別に異なる表示態様で表示させることとしてもよい。
具体的には、図１９及び図２０に示す複合番組選択処理の動作を示すフローチャート及び（１０）で説明したその変形例において、予約者特定情報及び提供者特定情報に、起動指示において指定された、当該予約者又は提供者が属する登録グループの情報を含めて非ベースリスト、複合番組選択リストを作成し、作成した複合番組選択リストと番組情報記憶部１１０に記憶されている各放送番組情報とに基づいて対応番組表を作成し、当該対応番組表から表示対応番組表を作成する。
【０１３０】
例えば、登録グループ１に属する各予約者特定情報又は提供者特定情報を「赤」で表示させ、登録グループ２に属する各予約者特定情報又は提供者特定情報を「青」で表示させることとしてもよい。
（１２）又、本実施の形態２及び（１０）に示す変形例では、表示対応番組表において、外部装置のユーザによる録画予約がされている番組内容情報について、予約済情報と予約者特定情報を表示させることとしたが、これらに加えて、録画後の当該放送番組を他のユーザに転送してもよいか否かを示す転送可否情報を表示させることとしてもよい。
【０１３１】
具体的には、個別番組選択リストに転送可否情報を追加し、録画予約状況と対応付け、ユーザが録画予約決定時に転送可否の入力を行い、録画予約されている放送番組について、録画完了後、録画した放送番組の転送を許可するか否か示す転送許可状況についての情報を追加し、録画予約状況と対応付けることとし、図１９及び図２０に示す複合番組選択リストの作成処理の動作のステップＳ１９１１において、予約済情報、予約者特定情報とともに対応する転送可否情報を記録することにより、対応番組表に転送可否情報を含め、表示対応番組表において転送可否情報を表示させることができる。
（１３）又、本実施の形態２においては、番組選択リスト記憶部２０８に記憶されている個別番組選択リストについて、その読み出す回数に制限を設けなかったが、各個別番組選択リストの読出し回数に制限を設けることとしてもよい。
【０１３２】
具体的には、各個別番組選択リストに読出し回数の上限を示す制限値を追加し、ユーザが制限値を予め設定することとし、番組選択リスト作成部２０９が個別番組選択リストを読み出す毎に、制限値の値を取得し、取得した値が０で無い場合には、制限値を１ずつ減らした値に更新することとし、制限値が０の場合には、読出しを中止することとしてもよい。
【０１３３】
又、上記において、外部装置から読み出されたときのみ、読出し回数に制限を設けることとしてもよい。
これにより、個別番組選択リストの流通範囲を限定することができる。
（１４）本実施の形態２においては、ベースリストと非ベースリストを組み合わせて複合番組選択リストを作成することとしたが、ベースリストと非ベースリストを組み合わせることなく、非ベースリストのみを組み合わせて複合番組選択リストを作成することとしてもよい。
【０１３４】
具体的には、図１９及び図２０に示す複合番組リスト作成処理の動作において、ステップ１９０２の処理を行わず、ステップＳ１９０８〜ステップＳ１９１３の処理において、取得した非ベースリストの何れか１つと取得した他の非ベースリストとの比較処理を繰り返すことにより、非ベースリストのみに基づく複合番組選択リストを作成することとしてもよい。
【０１３５】
又、非ベースリストにおいて、視聴又は録画予約されている放送番組名のみから成る非ベーリストのみを組み合わせて複合番組選択リストを作成することとしてもよい。
（１５）本実施の形態２においては、表示部１０５に表示させる番組選択リストは、放送番組名のみリストとしたが、当該放送番組名の放送番組の視聴予約有無についても表示させることとしてもよい。（９）の変形例についても、同様に視聴又は録画予約有無について表示させることとしてもよい。
（１６）又、本実施の形態１及び２において、番組情報記憶部１１０が放送波の種類（例えば、地上波、ＢＳ、ＣＳ、アナログ）別に、所定期間内放送される各放送番組の放送番組情報を記憶していることとし、番組選択リストにおいて、各放送番組名に放送波の種類を示す識別子を対応付けることとし、図５に示す番組選択処理の動作又は図２１に示す複合番組選択処理の動作において、番組選択リストにおける放送番組名の選択指示が入力された場合に、選択指示された放送番組名に対応付けられている放送波の種類が、直前に選択指示されたものの放送波と異なるか否かを判定して、異なる場合に、該当する表示番組表又は表示対応番組表を表示させる前に、放送波が切り替わったことを示す情報を表示させることとしてもよい。
【０１３６】
例えば、「番組表がＢＳ放送に切り替わりました」という、メッセージを表示させてもよいし、その旨を示すイラストを表示させることとしてもよい。
又、メッセージを表示させる代わりに、全体放送番組表から、各放送波についての所定範囲の放送時間帯及び放送チャンネルに対応する各番組内容情報を抽出して、図２４（ａ）〜（ｃ）に示すように、各放送波の放送番組表を全て表示させた後、該当する放送波の表示番組表又は表示対応番組表を表示させることにより、放送波が切り替わったことをユーザに通知することとしてもよい。
【０１３７】
図２４（ａ）は、切り替わり前の表示を、図２４（ｂ）は、切り替わり途中の表示を、図２４（ｃ）は、切り替わり後の表示をそれぞれ表す。
又、全体放送番組表から抽出して放送番組表を表示させる代わりに、予め各放送波の放送番組表のイメージ画像を番組情報記憶部１１０に記憶させておいて、放送波の種類が切り替わった時に、各放送波の放送番組表のイメージ画像を表示させることとしてもよい。
【０１３８】
又、上記の切り替わり時の表示を、ズームアウト（縮小）表示とズームイン（拡大）表示とするアニメーション表示とすることとしてもよい。
例えば、図２４（ｂ）の表示をズームアウト表示とし、図２４（ｃ）の表示をズームイン表示とすることとしてもよい。
（１７）又、本実施の形態２におけるユーザ登録処理において、外部のユーザからの登録要求時にパスワードの指定を受取り、当該外部のユーザのＩＤ、外部装置ＩＤと対応付けて登録関係情報として登録関係情報記憶部２１３に記録することとし、当該外部装置は、外部ユーザ番組リストの取得処理において、個別番組選択リストの提供要求元の番組選択支援装置２００から、指定したパスワードを受取った場合に限り、要求された個別番組選択リストを提供することとしてもよい。
【０１３９】
これにより、登録先以外の装置からの不正アクセスを防止することができる。
（１８）又、本実施の形態２においては、ユーザ登録処理、外部ユーザ番組リストの取得処理を外部装置とのネットワーク接続を介して行うこととしたが、上記処理に必要な情報を外部ユーザが自己の番組選択支援装置を介して記録媒体に予め記録し、当該記録媒体を登録先のユーザに提供し、登録先のユーザが記録媒体に記録された情報を自己の番組選択支援装置に読み込ませることにより、上記各処理を行うこととしてもよい。
（１９）又、複合番組選択処理の起動時に、番組選択リスト作成部２０９が起動される番組選択支援装置ＩＤと同一のＩＤを有するユーザ別登録グループ情報を登録関係情報記憶部２１３から読出し、読出した各ユーザ別登録グループ情報を表示制御部２０６に出力し、各ユーザ別登録グループ情報に登録されている登録グループに属するユーザの関係を、図２５に示すようなツリー構造で示すＧＵＩを表示制御部２０６に作成させて表示させることとしてもよい。
【０１４０】
これにより、各ユーザは、自己のユーザ別登録グループ情報における登録関係をＧＵＩ表示を介して容易に認識することができ、複合番組選択処理における、登録グループの指定をＧＵＩ表示されたオブジェクト（図２５に示すツリー構造において、「父」、「Ａさん」等を表示している四角又は楕円の画像）を介して容易に行うことができる。
（２０）実施の形態１及び２の番組選択支援装置１００及び２００は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各番組選択支援装置は、その機能を達成する。ここで、コンピュータプログラムは、所定の機能を達成するために、コンピュータに対する指令を示す命令コードが複数個組み合わされて構成されたものである。
【０１４１】
上記の各番組選択支援装置を構成する構成要素の一部又は全部は、１個のシステムＬＳＩ（Large Scale Integration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０１４２】
上記の各番組選択支援装置を構成する構成要素の一部又は全部は、各番組選択支援装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【産業上の利用可能性】
【０１４３】
放送番組の選択を補助するための放送番組選択支援装置において、簡易かつ迅速に放送番組を選択するための技術として利用できる。
【図面の簡単な説明】
【０１４４】
【図１】本発明の実施の形態１における番組選択支援装置１００の構成を示す機能ブロック図である。
【図２】番組選択リストの具体例を示す。
【図３】全体放送番組表の具体例を示す。
【図４】番組選択リストに含まれる各放送番組名と表示番組表のＧＵＩ表示画面の具体例をそれぞれ示す。
【図５】番組選択支援装置１００の行う番組選択処理の動作を示すフローチャートである。
【図６】番組選択支援装置１００の行なう番組選択リスト更新処理の動作を示すフローチャートの一部である。
【図７】番組選択支援装置１００の行なう番組選択リスト更新処理の動作を示すフローチャートの一部である。
【図８】図６において、番組選択支援装置１００の行なう番組選択リスト更新処理の動作の変形例１を示すフローチャートの一部である。
【図９】図６において、番組選択支援装置１００の行なう番組選択リスト更新処理の動作の変形例１を示すフローチャートの一部である。
【図１０】図６において、番組選択支援装置１００の行なう番組選択リスト更新処理の動作の変形例２を示すフローチャートの一部である。
【図１１】図６において、番組選択支援装置１００の行なう番組選択リスト更新処理の動作の変形例２を示すフローチャートの一部である。
【図１２】実施の形態２における番組選択支援装置２００の構成を示す機能ブロック図である。
【図１３】個別番組選択リストの具体例を示す。
【図１４】登録関係情報の具体例を示す。
【図１５】ユーザ別登録グループ情報の具体例を示す。
【図１６】複合番組選択リストの具体例を示す。
【図１７】対応番組表の具体例を示す。
【図１８】表示部１０５に表示された複合番組選択リストと表示対応番組表の具体例を示す。
【図１９】番組選択リスト作成部２０９の行う複合番組選択リストの作成処理の動作の一部を示すフローチャートである。
【図２０】番組選択リスト作成部２０９の行う複合番組選択リストの作成処理の動作の一部を示すフローチャートである。
【図２１】番組選択支援装置２００の行う複合番組選択処理の動作を示すフローチャートである。
【図２２】番組選択支援装置２００の行なう番組選択リスト更新処理の動作の一部を示すフローチャートである。
【図２３】番組選択支援装置２００の行なう番組選択リスト更新処理の動作の一部を示すフローチャートである。
【図２４】番組選択リストから放送波の異なる選択候補番組が選択された場合における表示例を示す図である。
【図２５】ユーザ別登録グループ情報をツリー構造表示した場合の具体例である。
【図１】
0004564003.tif 000002
【図２】
0004564003.tif 000003
【図３】
0004564003.tif 000004
【図４】
0004564003.tif 000005
【図５】
0004564003.tif 000006
【図６】
0004564003.tif 000007
【図７】
0004564003.tif 000008
【図８】
0004564003.tif 000009
【図９】
0004564003.tif 000010
【図１０】
0004564003.tif 000011
【図１１】
0004564003.tif 000012
【図１２】
0004564003.tif 000013
【図１３】
0004564003.tif 000014
【図１４】
0004564003.tif 000015
【図１５】
0004564003.tif 000016
【図１６】
0004564003.tif 000017
【図１７】
0004564003.tif 000018
【図１８】
0004564003.tif 000019
【図１９】
0004564003.tif 000020
【図２０】
0004564003.tif 000021
【図２１】
0004564003.tif 000022
【図２２】
0004564003.tif 000023
【図２３】
0004564003.tif 000024
【図２４】
0004564003.tif 000025
【図２５】
0004564003.tif 000026